(57)【要約】【課題】  使用済みマスタの取り出しを禁止可能とすることで、マスタの種類によらず、かつ安全に、使用済みのマスタの保護を行う印刷装置の使用済みマスタ保護システム、この印刷装置の使用済みマスタ保護システムを用いた印刷装置の使用済みマスタ保護方法、及びかかる印刷装置の使用済みマスタ保護システムによりその使用済みマスタの取り出しを禁止可能な印刷装置の提供。【解決手段】印刷装置本体に備えられ使用済みのマスタを貯容する使用済みマスタ貯容手段と、この使用済みマスタ貯容手段内の使用済みマスタの取り出しを禁止可能とする使用済みマスタ保護手段２４とを用いる。【選択図】図７
2005144957.tif 000002
【特許請求の範囲】
【請求項１】
印刷装置本体に備えられ使用済みのマスタを貯容する使用済みマスタ貯容手段と、この使用済みマスタ貯容手段内の使用済みマスタの取り出しを禁止可能とする使用済みマスタ保護手段とを有する印刷装置の使用済みマスタ保護システム。
【請求項２】
請求項１記載の印刷装置の使用済みマスタ保護システムにおいて、上記使用済みマスタ保護手段が、上記使用済みマスタ貯容手段を印刷装置本体外に取り出すことを禁止するためのロック手段と、このロック手段に対し、上記使用済みマスタ貯容手段を印刷装置本体外に取り出すことを禁止する禁止状態と、上記使用済みマスタ貯容手段を印刷装置本体外に取り出すことを許容する解除状態との何れかを与えるロック設定手段とを有することを特徴とする印刷装置の使用済みマスタ保護システム。
【請求項３】
請求項２記載の印刷装置の使用済みマスタ保護システムにおいて、上記ロック設定手段が、上記ロック手段を制御し上記禁止状態と上記解除状態との何れかを与える制御手段であることを特徴とする印刷装置の使用済みマスタ保護システム。
【請求項４】
請求項３記載の印刷装置の使用済みマスタ保護システムにおいて、上記使用済みマスタ貯容手段が、使用済みマスタを圧縮する圧縮手段を有し、この圧縮手段の少なくとも一部が上記ロック手段を構成することを特徴とする印刷装置の使用済みマスタ保護システム。
【請求項５】
請求項３または４記載の印刷装置の使用済みマスタ保護システムにおいて、上記使用済みマスタ貯容手段が印刷装置本体に装着されているか否かを検知する装着検知手段を有し、上記制御手段が、上記装着検知手段により上記マスタ貯容手段が印刷装置本体に装着されていることを検知しなければ上記ロック手段を上記禁止状態としないことを特徴とする印刷装置の使用済みマスタ保護システム。
【請求項６】
請求項３ないし５の何れか１つに記載の印刷装置の使用済みマスタ保護システムにおいて、上記制御手段が、上記ロック手段を上記禁止状態とし得る機密保持モードと、上記ロック手段を上記解除状態とする非機密保持モードとの何れかに設定され、上記機密保持モードでなければ上記ロック手段を上記禁止状態としないことを特徴とする印刷装置の使用済みマスタ保護システム。
【請求項７】
請求項６記載の印刷装置の使用済みマスタ保護システムにおいて、上記制御手段に対し、上記機密保持モードと上記非機密保持モードとの何れかを与えることを可能とするモード入力手段を有することを特徴とする印刷装置の使用済みマスタ保護システム。
【請求項８】
請求項６または７記載の印刷装置の使用済みマスタ保護システムにおいて、上記機密保持モードであるか、上記非機密保持モードであるかを出力可能なモード出力手段を有することを特徴とする印刷装置の使用済みマスタ保護システム。
【請求項９】
請求項３ないし８の何れか１つに記載の印刷装置の使用済みマスタ保護システムにおいて、上記使用済みマスタ貯容手段の取り出しを検知する取り出し検知手段と、この取り出し検知手段によって上記使用済みマスタ貯容手段の取り出しを検知したときに警告するべき旨の出力を行う警告出力手段とを有し、上記制御手段は、上記取り出し検知手段が上記禁止状態にある上記使用済みマスタ貯容手段の取り出しを検知したときに上記警告出力手段に警告を行わせることを特徴とする印刷装置の使用済みマスタ保護システム。
【請求項１０】
請求項９記載の印刷装置の使用済みマスタ保護システムにおいて、上記警告出力手段が、その旨の音を発する警告音出力手段、その旨を表示する警告表示出力手段の少なくとも１つであることを特徴とする印刷装置の使用済みマスタ保護システム。
【請求項１１】
請求項３ないし１０の何れか１つに記載の印刷装置の使用済みマスタ保護システムにおいて、印刷装置本体の電源がオフであること、印刷装置本体が電力低減待機モード時であることとの少なくとも一方を、上記制御手段が上記ロック手段を上記禁止状態とする条件として有することを特徴とする印刷装置の使用済みマスタ保護システム。
【請求項１２】
請求項３ないし１１の何れか１つに記載の印刷装置の使用済みマスタ保護システムにおいて、上記使用済みマスタ貯容手段内の使用済みマスタの量を検知するマスタ量検知手段を有し、上記制御手段が上記ロック手段を上記解除状態とする条件として、上記マスタ量検知手段が、上記使用済みマスタ貯容手段内の使用済みマスタの量が所定量であることを検知したことを有することを特徴とする印刷装置の使用済みマスタ保護システム。
【請求項１３】
請求項１２記載の印刷装置の使用済みマスタ保護システムにおいて、上記所定量が、満杯であることを特徴とする印刷装置の使用済みマスタ保護システム。
【請求項１４】
請求項１３記載の印刷装置の使用済みマスタ保護システムにおいて、上記マスタ量検知手段が、上記使用済みマスタ貯容手段内の使用済みマスタの量が満杯であることを検知したときに、その旨を出力可能な満杯出力手段を有することを特徴とする印刷装置の使用済みマスタ保護システム。
【請求項１５】
請求項１３記載の印刷装置の使用済みマスタ保護システムにおいて、上記マスタ量検知手段が、上記使用済みマスタ貯容手段内の使用済みマスタの量が満杯であることを検知し、上記制御手段が上記ロック手段を上記禁止状態から上記解除状態にしたときに、上記使用済みマスタ貯容手段内の使用済みマスタを廃棄すべき旨を出力可能な廃棄出力手段を有することを特徴とする印刷装置の使用済みマスタ保護システム。
【請求項１６】
請求項３ないし１５の何れか１つに記載の印刷装置の使用済みマスタ保護システムにおいて、上記制御手段が上記ロック手段に上記禁止状態を与えているときに、上記制御手段に対し上記ロック手段を上記解除状態とすべき旨の入力を行うことを可能とする解除入力手段を有し、上記制御手段が、上記解除入力手段により所定のデータが入力されたことを、上記ロック手段を上記解除状態とする条件として有することを特徴とする印刷装置の使用済みマスタ保護システム。
【請求項１７】
請求項１６記載の印刷装置の使用済みマスタ保護システムにおいて、上記所定のデータを書き換えることを可能とする解除データ入力手段を有することを特徴とする印刷装置の使用済みマスタ保護システム。
【請求項１８】
請求項３ないし１７の何れか１つに記載の印刷装置の使用済みマスタ保護システムにおいて、使用済みのマスタのジャムが生じたことを検知するジャム検知手段を有し、上記制御手段が、上記ジャム検知手段により使用済みのマスタのジャムが生じたことが検知されたことを、上記ロック手段を上記解除状態とする条件として有することを特徴とする印刷装置の使用済みマスタ保護システム。
【請求項１９】
請求項１８記載の印刷装置の使用済みマスタ保護システムにおいて、上記制御手段が、上記ジャム検知手段により使用済みのマスタのジャムが生じたことが検知されたときは必ず上記ロック手段を上記解除状態とすることを特徴とする印刷装置の使用済みマスタ保護システム。
【請求項２０】
請求項１８記載の印刷装置の使用済みマスタ保護システムにおいて、上記ジャム検知手段により使用済みのマスタのジャムが生じたことが検知されたとき上記制御手段により上記ロック手段を必ず上記解除状態とさせるか否かを設定することが可能であることを特徴とする印刷装置の使用済みマスタ保護システム。
【請求項２１】
請求項２０記載の印刷装置の使用済みマスタ保護システムにおいて、上記設定を行うことを可能とするジャム時解除設定入力手段を有することを特徴とする印刷装置の使用済みマスタ保護システム。
【請求項２２】
請求項１８ないし２１の何れか１つに記載の印刷装置の使用済みマスタ保護システムにおいて、上記ジャム検知手段が使用済みのマスタのジャムが生じたことを検知したときに、その旨を出力可能なジャム出力手段を有することを特徴とする印刷装置の使用済みマスタ保護システム。
【請求項２３】
請求項２ないし２２の何れか１つに記載の印刷装置の使用済みマスタ保護システムにおいて、上記ロック手段が上記禁止状態であるか上記解除状態であるかを出力可能なロック状態出力手段を有することを特徴とする印刷装置の使用済みマスタ保護システム。
【請求項２４】
請求項１ないし２３の何れか１つに記載の印刷装置の使用済みマスタ保護システムを用いて、上記使用済みマスタ貯容手段内の使用済みマスタの取り出しを禁止可能とする印刷装置の使用済みマスタ保護方法。
【請求項２５】
請求項１ないし２３の何れか１つに記載の印刷装置の使用済みマスタ保護システムに備えられた、上記使用済みマスタ貯容手段と、上記使用済みマスタ保護手段の少なくとも一部とを少なくとも有し、上記使用済みマスタ貯容手段内の使用済みマスタの取り出しが禁止可能である印刷装置。
【発明の詳細な説明】
【技術分野】
【０００１】
本発明は、使用済みマスタの取り出しを禁止可能として同マスタの保護を行う印刷装置の使用済みマスタ保護システム、この印刷装置の使用済みマスタ保護システムを用いた印刷装置の使用済みマスタ保護方法、及び係る印刷装置の使用済みマスタ保護システムによりその使用済みマスタの取り出しを禁止可能な印刷装置に関する。
【背景技術】
【０００２】
従来より、多数枚の印刷等を目的として印刷装置が用いられている。印刷装置として、例えば〔特許文献１〕、〔特許文献２〕、〔特許文献３〕、〔特許文献４〕、〔特許文献５〕に記載されているように、版胴に、いわゆるマスタを巻装して印刷を行うタイプの印刷装置が知られている。この種の印刷装置においては、マスタに記録された情報が漏洩するという問題がある。
【０００３】
すなわち、印刷終了後に、マスタを版胴に巻装したまま放置しておくと、その後、他者がこのマスタを用いて印刷することが可能であるため、マスタに記録された情報が漏洩する可能性がある。したがって、特に、官公庁、各種学校、企業など、かかる印刷装置が多数の者に使用されている環境下においては、機密保持の点で問題がある。
【０００４】
そこで、〔特許文献１〕、〔特許文献２〕、〔特許文献３〕、〔特許文献４〕に記載されているように、印刷終了後のマスタを用いて他者が印刷を行うことを禁止する印刷装置が提案されている。
しかしながら、〔特許文献１〕、〔特許文献２〕、〔特許文献３〕、〔特許文献４〕に記載の技術では、確かに、印刷終了後のマスタを利用して他者が印刷を行うことが禁止され、印刷によって、マスタに記録された情報が漏洩することが防止されるものの、印刷終了後のマスタは、印刷装置内に貯容されるため、この使用済みのマスタが印刷装置から自由に取り出されるとすれば、やはり機密保持の点で問題がある。
【０００５】
そこで、〔特許文献５〕においては、使用済みのマスタに記録されている情報を読み取ることができないように、かかるマスタに熱を加えて収縮させる技術が提案されている。この技術によれば、加熱により収縮した後のマスタが印刷装置から取り出し自由であっても、機密保持の点で問題が生じることはない。
【０００６】
【特許文献１】特開昭５９−１９８１８５号公報
【特許文献２】特開昭６３−７４６７９号公報
【特許文献３】特開平８−１８３２３８号公報
【特許文献４】特開平９−７１０２９号公報
【特許文献５】特開２００２−８６８８２号公報
【発明の開示】
【発明が解決しようとする課題】
【０００７】
しかし、〔特許文献５〕においては、熱収縮性材料によって構成されたマスタでなければ、熱を加えても収縮しないため、マスタの種類が限定されてしまうという問題がある。また、熱収縮性材料にも種々のものがあり、収縮を生じる温度にバラツキがあるとともに、熱収縮材料自身や、熱収縮材料に他の材料が張り合わされている場合にはその材料に、熱容量があり、熱容量は材料によって異なるため、マスタを確実に収縮させるために加熱温度を高めに設定すると、熱収縮温度の低い材料を用いている場合や、熱容量の小さい材料を用いている場合には、マスタが過剰に昇温される危険性がある。
【０００８】
本発明は、使用済みマスタの取り出しを禁止可能とすることで、マスタの種類によらず、かつ安全に、使用済みのマスタの保護を行う印刷装置の使用済みマスタ保護システム、この印刷装置の使用済みマスタ保護システムを用いた印刷装置の使用済みマスタ保護方法、及びかかる印刷装置の使用済みマスタ保護システムによりその使用済みマスタの取り出しを禁止可能な印刷装置の提供を目的とする。
【課題を解決するための手段】
【０００９】
上記目的を達成するため、請求項１記載の発明は、印刷装置本体に備えられ使用済みのマスタを貯容する使用済みマスタ貯容手段と、この使用済みマスタ貯容手段内の使用済みマスタの取り出しを禁止可能とする使用済みマスタ保護手段とを有する印刷装置の使用済みマスタ保護システムにある。
【００１０】
請求項２記載の発明は、請求項１記載の印刷装置の使用済みマスタ保護システムにおいて、上記使用済みマスタ保護手段が、上記使用済みマスタ貯容手段を印刷装置本体外に取り出すことを禁止するためのロック手段と、このロック手段に対し、上記使用済みマスタ貯容手段を印刷装置本体外に取り出すことを禁止する禁止状態と、上記使用済みマスタ貯容手段を印刷装置本体外に取り出すことを許容する解除状態との何れかを与えるロック設定手段とを有することを特徴とする。
【００１１】
請求項３記載の発明は、請求項２記載の印刷装置の使用済みマスタ保護システムにおいて、上記ロック設定手段が、上記ロック手段を制御し上記禁止状態と上記解除状態との何れかを与える制御手段であることを特徴とする。
【００１２】
請求項４記載の発明は、請求項３記載の印刷装置の使用済みマスタ保護システムにおいて、上記使用済みマスタ貯容手段が、使用済みマスタを圧縮する圧縮手段を有し、この圧縮手段の少なくとも一部が上記ロック手段を構成することを特徴とする。
【００１３】
請求項５記載の発明は、請求項３または４記載の印刷装置の使用済みマスタ保護システムにおいて、上記使用済みマスタ貯容手段が印刷装置本体に装着されているか否かを検知する装着検知手段を有し、上記制御手段が、上記装着検知手段により上記マスタ貯容手段が印刷装置本体に装着されていることを検知しなければ上記ロック手段を上記禁止状態としないことを特徴とする。
【００１４】
請求項６記載の発明は、請求項３ないし５の何れか１つに記載の印刷装置の使用済みマスタ保護システムにおいて、上記制御手段が、上記ロック手段を上記禁止状態とし得る機密保持モードと、上記ロック手段を上記解除状態とする非機密保持モードとの何れかに設定され、上記機密保持モードでなければ上記ロック手段を上記禁止状態としないことを特徴とする。
【００１５】
請求項７記載の発明は、請求項６記載の印刷装置の使用済みマスタ保護システムにおいて、上記制御手段に対し、上記機密保持モードと上記非機密保持モードとの何れかを与えることを可能とするモード入力手段を有することを特徴とする。
【００１６】
請求項８記載の発明は、請求項６または７記載の印刷装置の使用済みマスタ保護システムにおいて、上記機密保持モードであるか、上記非機密保持モードであるかを出力可能なモード出力手段を有することを特徴とする。
【００１７】
請求項９記載の発明は、請求項３ないし８の何れか１つに記載の印刷装置の使用済みマスタ保護システムにおいて、上記使用済みマスタ貯容手段の取り出しを検知する取り出し検知手段と、この取り出し検知手段によって上記使用済みマスタ貯容手段の取り出しを検知したときに警告するべき旨の出力を行う警告出力手段とを有し、上記制御手段は、上記取り出し検知手段が上記禁止状態にある上記使用済みマスタ貯容手段の取り出しを検知したときに上記警告出力手段に警告を行わせることを特徴とする。
【００１８】
請求項１０記載の発明は、請求項９記載の印刷装置の使用済みマスタ保護システムにおいて、上記警告出力手段が、その旨の音を発する警告音出力手段、その旨を表示する警告表示出力手段の少なくとも１つであることを特徴とする。
【００１９】
請求項１１記載の発明は、請求項３ないし１０の何れか１つに記載の印刷装置の使用済みマスタ保護システムにおいて、印刷装置本体の電源がオフであること、印刷装置本体が電力低減待機モード時であることとの少なくとも一方を、上記制御手段が上記ロック手段を上記禁止状態とする条件として有することを特徴とする。
【００２０】
請求項１２記載の発明は、請求項３ないし１１の何れか１つに記載の印刷装置の使用済みマスタ保護システムにおいて、上記使用済みマスタ貯容手段内の使用済みマスタの量を検知するマスタ量検知手段を有し、上記制御手段が上記ロック手段を上記解除状態とする条件として、上記マスタ量検知手段が、上記使用済みマスタ貯容手段内の使用済みマスタの量が所定量であることを検知したことを有することを特徴とする。
【００２１】
請求項１３記載の発明は、請求項１２記載の印刷装置の使用済みマスタ保護システムにおいて、上記所定量が、満杯であることを特徴とする。
【００２２】
請求項１４記載の発明は、請求項１３記載の印刷装置の使用済みマスタ保護システムにおいて、上記マスタ量検知手段が、上記使用済みマスタ貯容手段内の使用済みマスタの量が満杯であることを検知したときに、その旨を出力可能な満杯出力手段を有することを特徴とする。
【００２３】
請求項１５記載の発明は、請求項１３記載の印刷装置の使用済みマスタ保護システムにおいて、上記マスタ量検知手段が、上記使用済みマスタ貯容手段内の使用済みマスタの量が満杯であることを検知し、上記制御手段が上記ロック手段を上記禁止状態から上記解除状態にしたときに、上記使用済みマスタ貯容手段内の使用済みマスタを廃棄すべき旨を出力可能な廃棄出力手段を有することを特徴とする。
【００２４】
請求項１６記載の発明は、請求項３ないし１５の何れか１つに記載の印刷装置の使用済みマスタ保護システムにおいて、上記制御手段が上記ロック手段に上記禁止状態を与えているときに、上記制御手段に対し上記ロック手段を上記解除状態とすべき旨の入力を行うことを可能とする解除入力手段を有し、上記制御手段が、上記解除入力手段により所定のデータが入力されたことを、上記ロック手段を上記解除状態とする条件として有することを特徴とする。
【００２５】
請求項１７記載の発明は、請求項１６記載の印刷装置の使用済みマスタ保護システムにおいて、上記所定のデータを書き換えることを可能とする解除データ入力手段を有することを特徴とする。
【００２６】
請求項１８記載の発明は、請求項３ないし１７の何れか１つに記載の印刷装置の使用済みマスタ保護システムにおいて、使用済みのマスタのジャムが生じたことを検知するジャム検知手段を有し、上記制御手段が、上記ジャム検知手段により使用済みのマスタのジャムが生じたことが検知されたことを、上記ロック手段を上記解除状態とする条件として有することを特徴とする。
【００２７】
請求項１９記載の発明は、請求項１８記載の印刷装置の使用済みマスタ保護システムにおいて、上記制御手段が、上記ジャム検知手段により使用済みのマスタのジャムが生じたことが検知されたときは必ず上記ロック手段を上記解除状態とすることを特徴とする。
【００２８】
請求項２０記載の発明は、請求項１９記載の印刷装置の使用済みマスタ保護システムにおいて、上記ジャム検知手段により使用済みのマスタのジャムが生じたことが検知されたとき上記制御手段により上記ロック手段を必ず上記解除状態とさせるか否かを設定することが可能であることを特徴とする。
【００２９】
請求項２１記載の発明は、請求項２０記載の印刷装置の使用済みマスタ保護システムにおいて、上記設定を行うことを可能とするジャム時解除設定入力手段を有することを特徴とする。
【００３０】
請求項２２記載の発明は、請求項１８ないし２１の何れか１つに記載の印刷装置の使用済みマスタ保護システムにおいて、上記ジャム検知手段が使用済みのマスタのジャムが生じたことを検知したときに、その旨を出力可能なジャム出力手段を有することを特徴とする。
【００３１】
請求項２３記載の発明は、請求項２ないし２２の何れか１つに記載の印刷装置の使用済みマスタ保護システムにおいて、上記ロック手段が上記禁止状態であるか上記解除状態であるかを出力可能なロック状態出力手段を有することを特徴とする。
【００３２】
請求項２４記載の発明は、請求項１ないし２３の何れか１つに記載の印刷装置の使用済みマスタ保護システムを用いて、上記使用済みマスタ貯容手段内の使用済みマスタの取り出しを禁止可能とする印刷装置の使用済みマスタ保護方法にある。
【００３３】
請求項２５記載の発明は、請求項１ないし２５の何れか１つに記載の印刷装置の使用済みマスタ保護システムに備えられた、上記使用済みマスタ貯容手段と、上記使用済みマスタ保護手段の少なくとも一部とを少なくとも有し、上記使用済みマスタ貯容手段内の使用済みマスタの取り出しが禁止可能である印刷装置にある。
【発明の効果】
【００３４】
本発明は、印刷装置本体に備えられ使用済みのマスタを貯容する使用済みマスタ貯容手段と、この使用済みマスタ貯容手段内の使用済みマスタの取り出しを禁止可能とする使用済みマスタ保護手段とを有する印刷装置の使用済みマスタ保護システムにあるので、使用済みマスタの取り出しを禁止可能とすることで、マスタの種類によらず、使用済みマスタの取り出しを禁止でき、安全に、使用済みのマスタの保護を行うことができる印刷装置の使用済みマスタ保護システムを提供することができる。
【００３５】
使用済みマスタ保護手段が、使用済みマスタ貯容手段を印刷装置本体外に取り出すことを禁止するためのロック手段と、このロック手段に対し、上記使用済みマスタ貯容手段を印刷装置本体外に取り出すことを禁止する禁止状態と、上記使用済みマスタ貯容手段を印刷装置本体外に取り出すことを許容する解除状態との何れかを与えるロック設定手段とを有することとすれば、ロック設定手段でロック手段に対し禁止状態と解除状態とを選択的に与えることができ、マスタの種類によらず、使用済みマスタの取り出しを禁止でき、安全に、使用済みのマスタの保護を行うことができる印刷装置の使用済みマスタ保護システムを提供することができる。
【００３６】
ロック設定手段が、ロック手段を制御し禁止状態と解除状態との何れかを与える制御手段であることとすれば、制御手段でロック手段に対し禁止状態と解除状態とを選択的に与える制御を行うことで、マスタの種類によらず、使用済みマスタの取り出しを比較的簡易に禁止でき、より安全に、使用済みのマスタの保護を行うことができる印刷装置の使用済みマスタ保護システムを提供することができる。
【００３７】
使用済みマスタ貯容手段が、使用済みマスタを圧縮する圧縮手段を有し、この圧縮手段の少なくとも一部がロック手段を構成することとすれば、ロック手段の構成を簡素化でき、安全かつ廉価な印刷装置の使用済みマスタ保護システムを提供することができる。
【００３８】
使用済みマスタ貯容手段が印刷装置本体に装着されているか否かを検知する装着検知手段を有し、制御手段が、装着検知手段により使用済みマスタ貯容手段が印刷装置本体に装着されていることを検知しなければロック手段を禁止状態としないこととすれば、マスタ貯容手段が印刷装置本体に装着されていないにもかかわらずロック手段を禁止状態とすることを防止して、たとえば、マスタ貯容手段が印刷装置本体に装着できなくなるような事態を防止できる印刷装置の使用済みマスタ保護システムを提供することができる。
【００３９】
制御手段が、ロック手段を禁止状態とし得る機密保持モードと、ロック手段を解除状態とする非機密保持モードとの何れかに設定され、上記機密保持モードでなければ上記ロック手段を上記禁止状態としないこととすれば、非機密保持モードであるにもかかわらずロック手段が禁止状態とされることを防止し、ユーザーにとって使い勝手が良く、信頼性の高い印刷装置の使用済みマスタ保護システムを提供することができる。
【００４０】
制御手段に対し、機密保持モードと非機密保持モードとの何れかを与えることを可能とするモード入力手段を有することとすれば、モード入力手段を用いて必要なときのみロック手段を禁止状態とし得る状態とし、非機密保持モードであるにもかかわらずロック手段が禁止状態とされることを防止し、ユーザーにとって使い勝手が良く、信頼性の高い印刷装置の使用済みマスタ保護システムを提供することができる。
【００４１】
機密保持モードであるか、非機密保持モードであるかを出力可能なモード出力手段を有することとすれば、機密保持モードであるか、非機密保持モードであるかが、ユーザーによって容易に確認でき、機密保持モードであるにもかかわらず、非機密保持モード時の操作をしたり、非機密保持モードであるにもかかわらず、機密保持モード時の操作をしたりすることを防止して、使い勝手が良い印刷装置の使用済みマスタ保護システムを提供することができる。
【００４２】
使用済みマスタ貯容手段の取り出しを検知する取り出し検知手段と、この取り出し検知手段によって上記使用済みマスタ貯容手段の取り出しを検知したときに警告するべき旨の出力を行う警告出力手段とを有し、制御手段は、上記取り出し検知手段が禁止状態にある上記使用済みマスタ貯容手段の取り出しを検知したときに上記警告出力手段に警告を行わせることとすれば、使用済みマスタの不正な取り出しを効果的に防止することで、使用済みマスタの不用意な取り出しを禁止でき、極めて安全に、使用済みのマスタの保護を行うことができる印刷装置の使用済みマスタ保護システムを提供することができる。
【００４３】
警告出力手段が、その旨の音を発する警告音出力手段、その旨を表示する警告表示出力手段の少なくとも１つであることとすれば、人の注意を喚起しやすい方法で警告を行い、使用済みマスタの不正な取り出しをより効果的に防止することで、使用済みマスタの不用意な取り出しを禁止でき、さらに安全に、使用済みのマスタの保護を行うことができる印刷装置の使用済みマスタ保護システムを提供することができる。
【００４４】
印刷装置本体の電源がオフであること、印刷装置本体が電力低減待機モード時であることとの少なくとも一方を、制御手段がロック手段を禁止状態とする条件として有することとすれば、印刷装置がどのような状態にあっても、使用済みマスタの取り出しを禁止可能とし、使用済みマスタの不用意な取り出しを禁止でき、さらに安全に、使用済みのマスタの保護を行うことができる印刷装置の使用済みマスタ保護システムを提供することができる。
【００４５】
使用済みマスタ貯容手段内の使用済みマスタの量を検知するマスタ量検知手段を有し、制御手段がロック手段を解除状態とする条件として、上記マスタ量検知手段が、上記使用済みマスタ貯容手段内の使用済みマスタの量が所定量であることを検知したことを有することとすれば、たとえば、使用済みマスタ貯容手段内の使用済みマスタの量が満杯に近い場合や満杯である場合に、ロック手段が解除状態とされ、使用済みマスタ貯容手段を印刷装置から取り出して使用済みマスタ貯容手段内の使用済みマスタを廃棄することができるなど、必要なときにロック手段が解除状態とされるから、ユーザーにとって使い勝手の良い印刷装置の使用済みマスタ保護システムを提供することができる。
【００４６】
所定量が、満杯であることとすれば、使用済みマスタ貯容手段内の使用済みマスタの量が満杯である場合に、ロック手段が解除状態とされ、使用済みマスタ貯容手段を印刷装置から取り出して使用済みマスタ貯容手段内の使用済みマスタを廃棄することができるから、使用済みマスタ貯容手段内の使用済みマスタを廃棄する必要があるときにロック手段が解除状態とされるから、ユーザーにとって使い勝手の良い印刷装置の使用済みマスタ保護システムを提供することができる。
【００４７】
マスタ量検知手段が、使用済みマスタ貯容手段内の使用済みマスタの量が満杯であることを検知したときに、その旨を出力可能な満杯出力手段を有することとすれば、使用済みマスタ貯容手段内の使用済みマスタの量が満杯であることがユーザーによって容易に確認でき、使用済みマスタ貯容手段を印刷装置から取り出して使用済みマスタ貯容手段内の使用済みマスタを廃棄すべきことが分かるから、使用済みマスタ貯容手段内の使用済みマスタを廃棄する必要があるときにロック手段が解除状態とされる場合には特に、ユーザーにとって非常に使い勝手の良い印刷装置の使用済みマスタ保護システムを提供することができる。
【００４８】
マスタ量検知手段が、使用済みマスタ貯容手段内の使用済みマスタの量が満杯であることを検知し、制御手段がロック手段を禁止状態から解除状態にしたときに、上記使用済みマスタ貯容手段内の使用済みマスタを廃棄すべき旨を出力可能な廃棄出力手段を有することとすれば、使用済みマスタ貯容手段を印刷装置から取り出して使用済みマスタ貯容手段内の使用済みマスタを廃棄すべきことを容易に確認できるから、ユーザーにとって非常に使い勝手の良い印刷装置の使用済みマスタ保護システムを提供することができる。
【００４９】
制御手段がロック手段に禁止状態を与えているときに、上記制御手段に対し上記ロック手段を解除状態とすべき旨の入力を行うことを可能とする解除入力手段を有し、上記制御手段が、上記解除入力手段により所定のデータが入力されたことを、上記ロック手段を解除状態とする条件として有することとすれば、電子データを用いて使用済みマスタの取り出しを禁止可能とすることで、より簡易かつ安全に、使用済みのマスタの保護を行うことができるとともに、必要に応じて使用済みマスタ貯容手段を印刷装置から取り出して使用済みマスタ貯容手段内の使用済みマスタを取り出すことができ、ユーザーにとって使い勝手が良く、信頼性の高い印刷装置の使用済みマスタ保護システムを提供することができる。
【００５０】
所定のデータを書き換えることを可能とする解除データ入力手段を有することとすれば、所定のデータを必要に応じて書き換えることができ、ユーザーにとって使い勝手が良く、信頼性、安全性の高い印刷装置の使用済みマスタ保護システムを提供することができる。
【００５１】
使用済みのマスタのジャムが生じたことを検知するジャム検知手段を有し、制御手段が、上記ジャム検知手段により使用済みのマスタのジャムが生じたことが検知されたことを、ロック手段を解除状態とする条件として有することとすれば、ジャムが発生し、使用済みマスタ貯容手段を印刷装置から取り出してジャムを解消する作業が必要な場合に、かかる作業を容易に行うことが可能であり、ユーザーにとって使い勝手が良く、信頼性の高い印刷装置の使用済みマスタ保護システムを提供することができる。
【００５２】
制御手段が、ジャム検知手段により使用済みのマスタのジャムが生じたことが検知されたときは必ずロック手段を解除状態とすることとすれば、ジャムが発生し、使用済みマスタ貯容手段を印刷装置から取り出してジャムを解消する作業が必要な場合に、かかる作業を容易に行うことができ、ユーザーにとってさらに使い勝手が良く、さらに信頼性の高い印刷装置の使用済みマスタ保護システムを提供することができる。
【００５３】
ジャム検知手段により使用済みのマスタのジャムが生じたことが検知されたとき制御手段によりロック手段を必ず解除状態とさせるか否かを設定することが可能であることとすれば、印刷装置の使用状況を勘案して、使用済みのマスタのジャムが生じたときにロック手段を必ず解除状態とさせるか否かを設定することが可能となり、ユーザーにとってさらに使い勝手が良く、かつ安全性を担保でき、さらに信頼性の高い印刷装置の使用済みマスタ保護システムを提供することができる。
【００５４】
ジャム検知手段により使用済みのマスタのジャムが生じたことが検知されたとき制御手段によりロック手段を必ず解除状態とさせるか否かの設定を行うことを可能とするジャム時解除設定入力手段を有することとすれば、印刷装置の使用状況を勘案して、使用済みのマスタのジャムが生じたときにロック手段を必ず解除状態とさせるか否かを比較的容易に設定することが可能となり、ユーザーにとってさらに使い勝手が良く、かつ安全性を担保でき、さらに信頼性の高い印刷装置の使用済みマスタ保護システムを提供することができる。
【００５５】
ジャム検知手段が使用済みのマスタのジャムが生じたことを検知したときに、その旨を出力可能なジャム出力手段を有することとすれば、ジャムの発生がユーザーによって容易に確認でき、使用済みマスタ貯容手段を印刷装置から取り出してジャム処理を行う必要があることが判断できるから、ジャムが生じ使用済みマスタ貯容手段を取り出す必要があるときにロック手段が解除状態とされる場合には特に、ユーザーにとって非常に使い勝手の良い印刷装置の使用済みマスタ保護システムを提供することができる。
【００５６】
ロック手段が禁止状態であるか解除状態であるかを出力可能なロック状態出力手段を有することとすれば、使用済みマスタ貯容手段が取り出し可能か否かがユーザーによって容易に確認でき、使用済みマスタ貯容手段を不用意に取り出し、たとえば警告出力手段による警告を受けるような事態を回避でき、ユーザーにとって使い勝手の良い印刷装置の使用済みマスタ保護システムを提供することができる。
【００５７】
本発明は、請求項１ないし２２の何れか１つに記載の印刷装置の使用済みマスタ保護システムを用いて、使用済みマスタ貯容手段内の使用済みマスタの取り出しを禁止可能とする印刷装置の使用済みマスタ保護方法にあるので、上述の各効果を奏する印刷装置の使用済みマスタ保護システムを用い、使用済みマスタの取り出しを禁止可能とすることで、マスタの種類によらず、使用済みマスタの取り出しを禁止でき、安全に、使用済みのマスタの保護を行うことができる印刷装置の使用済みマスタ保護方法を提供することができる。
【００５８】
本発明は、請求項１ないし２２の何れか１つに記載の印刷装置の使用済みマスタ保護システムに備えられた、使用済みマスタ貯容手段と、使用済みマスタ保護手段の少なくとも一部とを少なくとも有し、上記使用済みマスタ貯容手段内の使用済みマスタの取り出しが禁止可能である印刷装置にあるので、上述の各効果を奏する印刷装置の使用済みマスタ保護システムによって、使用済みマスタの取り出しを禁止可能とすることで、マスタの種類によらず、使用済みマスタの取り出しを禁止でき、安全に、使用済みのマスタの保護を行うことができる印刷装置を提供することができる。
【発明を実施するための最良の形態】
【００５９】
図１に、本発明を適用した印刷装置としての感熱デジタル製版一体型の孔版印刷装置の概略を示す。孔版印刷装置１は、図１に示す印刷部２と、製版部としての製版書き込み装置である製版装置３と、原稿読取部としての原稿読取装置３２と、給紙部としての給紙装置４と、排版部としての排版装置５と、排紙部６と、図６に示す操作パネル６９と、図７に示す制御部としての制御手段２４と、図７または図８に示すロック状態出力手段としてのロック表示出力手段１１９とを有している。
【００６０】
印刷部２は、版胴７と、インキ供給手段８と、プレスローラ９と、図７に示すマスタ有無検知手段１０８とを有している。
版胴７は、ステンレス薄板をエッチング加工したもの、あるいはニッケル電鋳された薄板により円筒状に形成されている。版胴７は、０．２５〜１．０ｍｍ程度の間隔で直径０．１５〜０．５ｍｍ程度の孔を、その外周面上に多数穿設されており、図示しない駆動手段としてのメインモータによって回転駆動される。メインモータは、制御手段２４によって制御される、図７に示す印刷部駆動回路１０１によって駆動される。
【００６１】
版胴７の外周面上には、ポリエステルまたはステンレスの細線等で織られたメッシュ数＃１００〜４００程度の図示しないメッシュスクリーンが１〜３層程度巻装されている。また版胴７の外周面上には、マスタ３４の先端を挟持するクランプ手段としてのクランパ１１が配設されている。版胴７は、その両端を図示しないフランジにより固定されており、フランジの中心に位置する後述するインキ供給パイプ１３を中心に回転自在となっている。
【００６２】
インキ供給手段８は、版胴７の内部に配設されている。インキ供給手段８は、インキ供給パイプ１３と、インキローラ１４と、ドクターローラ１５と、図７に示すインキ検知手段１０２と、図示しないインキ供給駆動手段とを有している。
インキ供給パイプ１３は、版胴７の支持軸としてのドラム軸を兼ねている。インキ供給パイプ１３は、一端を孔版印刷装置１の図示しない筐体の側板に回転自在に支持されており、その表面には、版胴７の内部にインキを供給するための無数の小さな孔が穿設されている。
【００６３】
インキローラ１４とドクターローラ１５とは、インキ供給パイプ１３の下方に配設されている。インキローラ１４は、版胴７の側板に回転自在に支持され、その外周面を版胴７の内周面と当接させており、インキ供給駆動手段が駆動されることによりインキ供給パイプ１３より供給されたインキを版胴７に供給する。ドクターローラ１５は、インキローラ１４の近傍に、回転自在に配設されている。ドクターローラ１５は、その外周面とインキローラ１４の外周面との間に僅かな間隙が生じるように配設されており、インキローラ１４との外周面の近接部において、楔状のインキ溜まり１６を形成している。
【００６４】
インキ供給パイプ１３よりインキ溜まり１６へと供給されたインキは、インキローラ１４とドクターローラ１５との間隙を通過することにより均一な層状とされ、インキローラ１４の外周面に供給される。インキ検知手段１０２はインキ溜まり１６におけるインキ量を検知し、インキ量が少なくなったときには制御手段２４にその旨の信号を送り、制御手段２４はインキ検知手段１０２からの信号を受信しなくなるまでインキ供給駆動手段を駆動させ、インキ供給パイプ１３よりインキを供給させる。
【００６５】
プレスローラ９は、版胴７の下方に配設されている。プレスローラ９は、プレスローラ９と一体をなした図示しない軸によって回転自在に支持されている。軸は、孔版印刷装置１の図示しない筐体の側板に搖動可能に支持された図示しない揺動手段に備えられ、搖動手段本体側に固着されている。したがって、プレスローラ９は、搖動手段により搖動可能かつ回転自在に支持されている。
【００６６】
プレスローラ９は、給紙装置４より給送される印刷用紙Ｐを版胴７に押圧し、印刷用紙Ｐに印刷画像を形成させる。印刷画像形成時において、プレスローラ９は、搖動手段によって搖動可能に支持されていることにより、その外周面が版胴７の外周面に対して接離されるとともに、搖動手段によって回転自在に支持されていることにより、版胴７に押圧され版胴７と一体で移動する印刷用紙Ｐに連れ回りするようになっている。
マスタ有無検知手段１０８は、版胴７上のマスタ３４の有無を検知するものであり、版胴７上のマスタ３４の有無に関する信号を制御手段２４に送るようになっている。
【００６７】
製版装置３は、印刷部２の右上方に配設されている。製版装置３は、マスタ貯容手段２８と、製版手段２９と、切断手段３０と、マスタ搬送手段としての搬送手段３１とを有している。
マスタ貯容手段２８は、製版装置３の図示しない筐体の側板に固着された図示しないマスタ貯容部材を有している。マスタ貯容部材は、図示しないＵ字状の溝を有しており、この溝で、マスタ３４をロール状に巻成したマスタロール３５の芯部３５ａを、回転自在に支持している。
【００６８】
製版手段２９は、図１においてマスタ貯容手段２８の左方に配設されている。製版手段２９は、プラテンローラ３６と、サーマルヘッド３７と、図示しないステッピングモータとを有している。
プラテンローラ３６は、製版装置３の図示しない筐体の側板に回転自在に支持され、ステッピングモータによって回転駆動され、マスタ３４をマスタロール３５から引き出しながらサーマルヘッド３７に押圧し、下流側へと搬送する。ステッピングモータは、制御手段２４によって制御される、図７に示す製版部駆動回路１０３によって駆動される。
【００６９】
サーマルヘッド３７は、多数の発熱素子を有している。サーマルヘッド３７は、孔版印刷装置１の図示しない筐体の側板に取り付けられており、図示しない付勢手段によって付勢され、プラテンローラ３６に圧接されている。サーマルヘッド３７は、発熱により、プラテンローラ３６によってマスタロール３５から引き出されたマスタ３４に対して溶融穿孔を行い、マスタ３４を製版済みのものとする。サーマルヘッド３７の発熱は、制御手段２４によって制御される製版部駆動回路１０３によって駆動される。
【００７０】
切断手段３０は、製版手段２９のマスタ搬送方向下流側に配設されている。切断手段３０は、筐体に取り付けられた固定刃３０ａと、この固定刃３０ａに対して回転移動する可動刃３０ｂとを有している。可動刃３０ｂの回転は、制御手段２４によって制御される、図７に示すカッタ駆動回路１０４によって駆動される。
搬送手段３１は、切断手段３０のマスタ搬送方向下流側に配設されている。搬送手段３１は、図示しない駆動手段としてのステッピングモータによって回転駆動される搬送駆動ローラとしての駆動ローラ３１ａ，送り出し駆動ローラとしての駆動ローラ３１ｃと、駆動ローラ３１ａ，３１ｃにそれぞれ連れ回りする搬送従動ローラとしての従動ローラ３１ｂ，搬送送り出しローラとしての従動ローラ３１ｄとを有している。
【００７１】
搬送手段３１はまた、駆動ローラ３１ａ及び従動ローラ３１ｂによって構成されているローラ対と駆動ローラ３１ｃ及び従動ローラ３１ｄによって構成されているローラ対との間に配設されマスタ３４の搬送を補助するガイド板３８と、駆動ローラ３１ｃ及び従動ローラ３１ｄによって構成されているローラ対のマスタ搬送方向下流側に配設されマスタ３４をクランパ１１に向けて案内するマスタガイド板としてのガイド板３９とを有している。
【００７２】
駆動ローラ３１ａ，３１ｃ、従動ローラ３１ｂ，３１ｄは何れも製版装置３の図示しない筐体の側板に回転自在に支持されており、ガイド板３８，３９は同側板に固定支持されている。
駆動ローラ３１ｃには、その片側に、上述のステッピングモータから駆動を得るための図示しないプーリ及びベルトが連結されている。かかるステッピングモータから駆動を得る手段としては、ギヤ等を用いても良い。駆動ローラ３１ａ，３１ｃを駆動する駆動手段は電磁クラッチであっても良い。
【００７３】
駆動ローラ３１ｃは、マスタ３４を版胴７に巻き付ける際に、マスタ３４が版胴７によって引き出されるのに応じてマスタ３４に連れ回りするに構成されている。具体的には、かかる連れ回りを行うように、その軸受けが、回転抵抗の少ない玉軸受けにより構成されているとともに、従動ローラ３１ｄとのニップ圧が適圧となるよう構成されている。ステッピングモータは、制御手段２４によって制御される、図７に示すマスタ搬送部駆動回路１０５によって駆動される。
【００７４】
原稿読取装置３２は、印刷部２の左上方に配設されている。原稿読取装置３２は、孔版印刷装置１の上部に配設され原稿をセットする原稿セット部４０と、原稿セット部４０にセットされた原稿を送り出す原稿搬送ローラ対４１と、原稿搬送ローラ対４１によって送られてきた原稿の先端を検知する原稿先端検知センサ４２と、原稿に密着して原稿画像を読み取る密着イメージセンサすなわちＣＩＳ４３と、原稿をＣＩＳ４３に密着させる圧版としての白基準版４４と、ＣＩＳ４３によって読み取った原稿を孔版印刷装置１本体外部に排出する原稿搬送コロ対４５と、孔版印刷装置１本体外部に配設され原稿搬送コロ対４５によって搬送されてきた読み取り済みの原稿を積載する原稿排紙台３３と、原稿搬送ローラ対４１と原稿搬送コロ対４５とを駆動する図示しない駆動手段としてのステッピングモータとを有している。
【００７５】
原稿セット部４０は、図示しないサイドフェンスを有している。原稿先端検知センサ４２は、原稿の先端を検知したとき、この旨の信号を制御手段２４に送る。ステッピングモータによる原稿搬送ローラ対４１と原稿搬送コロ対４５との駆動、及びＣＩＳ４３による原稿の読取りは、制御手段２４によって制御される、図７に示す読取り部駆動回路１０６によって制御される。
【００７６】
給紙装置４は、製版装置３の下方に配設されている。給紙装置４は、給紙トレイ４６と、給紙ローラ４７と、分離手段としての分離ローラ４８と、レジストローラ対４９と、ガイド板５０と、給紙トレイ４６と給紙ローラ４７と分離ローラ４８とレジストローラ対４９とのそれぞれを駆動する図示しない駆動手段と、図７に示す用紙検知手段１１０とを有している。
【００７７】
給紙トレイ４６は、その上面に印刷用紙Ｐを積載されるものである。給紙トレイ４６は、積載された印刷用紙Ｐの増減と連動して図示しない駆動手段により上下動される。そのため給紙トレイ４６は、孔版印刷装置１の筐体に上下動自在に支持されている。給紙トレイ４６には、図示しないサイドフェンスと、サイドフェンスの移動に伴って印刷用紙Ｐの幅を検知し、これにより印刷用紙Ｐのサイズを検知する図７に示す用紙サイズ検知手段５２とが設けられている。
【００７８】
給紙ローラ４７と分離ローラ４８とは、給紙トレイ４６の上方に配設されている。給紙トレイ４６は、給紙ローラ４７と分離ローラ４８とが、給紙トレイ４６上の最上位の印刷用紙Ｐと当接するように上下動される。給紙ローラ４７は、給紙トレイ４６上の最上位の印刷用紙Ｐを送り出す。分離ローラ４８は、給紙ローラ４７によって複数枚の印刷用紙Ｐが給紙トレイ４６上から引き出され送り出された場合、その最上位の１枚のみを分離し、さらに搬送するように構成されている。
【００７９】
レジストローラ対４９は、印刷用紙Ｐの搬送方向における分離ローラ４８の下流側に配設されている。レジストローラ対４９は、分離ローラ４８によって給送された印刷用紙Ｐを咥え込み、版胴７の回転及びプレスローラ９の揺動動作と同期して、版胴７の外周面とプレスローラ９との間のニップ部Ｎに印刷用紙Ｐを給送する。
【００８０】
ガイド板５０は、印刷用紙Ｐの搬送方向におけるレジストローラ対４９の両側に、印刷用紙Ｐの搬送方向に沿って延在しており、印刷装置１の図示しない筐体の側板に固着されている。ガイド板５０は、分離ローラ４８によって給送されてきた印刷用紙Ｐをレジストローラ対４９に向けて案内するとともに、レジストローラ対４９から送り出された印刷用紙Ｐをニップ部Ｎに向けて案内するものである。図７のみに図示する用紙検知手段１１０は、印刷用紙Ｐの搬送方向におけるレジストローラ対４９の下流側に配設されている。
【００８１】
用紙サイズ検知手段５２は用紙サイズに関する検知を行い、用紙サイズに関する信号が、制御手段２４に送られる。用紙検知手段１１０は、レジストローラ対４９からニップ部Ｎに向けて送り出された印刷用紙Ｐを検知するものであり、印刷用紙Ｐを検知した旨の信号を制御手段２４に送る。給紙トレイ４６と給紙ローラ４７と分離ローラ４８とレジストローラ対４９とのそれぞれを駆動する駆動手段の駆動は、制御手段２４によって制御される、図７に示す給紙部駆動回路１０７によって制御される。
【００８２】
排紙部６は、版胴７の左下方に配設されている。排紙部６は、剥離爪６３と、用紙搬送装置２６と、排紙トレイ６８と、図７に示す排紙検知手段１１１と、図示しない搖動手段とを有している。
剥離爪６３は、インキを転移された印刷用紙Ｐを版胴７の外周面から剥離するものである。剥離爪６３は、孔版印刷装置１の図示しない筐体の側板に支持された図示しない回動自在な軸に支持され、その先端を版胴７の外周面に対して接離自在に配設されている。剥離爪６３は揺動手段によって揺動され、その揺動は、版胴７の外周面上に存在するクランパ１１等の障害物がその先端と干渉しないように、版胴７の回転と同期が取られている。
【００８３】
用紙搬送装置２６は、従動ローラ６４と、駆動ローラ６５と、ゴムベルト６６と、ファンとしての吸引ファン６７と、図示しない駆動手段とを有している。
従動ローラ６４と駆動ローラ６５とは、筐体側板に回転自在に支持されている。ゴムベルト６６は、表面に複数の開孔を有しており、従動ローラ６４と駆動ローラ６５とに掛け渡されている。吸引ファン６７は、従動ローラ６４と駆動ローラ６５との間の、ゴムベルト６６の下方に配設されている。
【００８４】
駆動ローラ６５は駆動手段で回転駆動され、この回転力はゴムベルト６６を介して従動ローラ６４に伝達される。吸引ファン６７は、その回転により図１において下向きの空気流を発生させ、印刷画像を形成された印刷用紙Ｐをゴムベルト６６の表面に吸引させるものである。図７のみに示す排紙検知手段１１１は、用紙搬送方向における用紙搬送装置２６の下流側に配設されている。
【００８５】
印刷画像を形成された用紙Ｐは、吸引ファン６７の作用によりゴムベルト６６に吸着された状態で、駆動ローラ６５によって回転移動するゴムベルト６６により搬送される。
排紙トレイ６８は、印刷用紙Ｐの搬送方向における駆動ローラ６５の下流側に配設されている。排紙トレイ６８は、孔版印刷装置１の図示しない筐体に着脱自在に取り付けられている。排紙トレイ６８は、印刷画像を形成された印刷用紙Ｐを積載する。
【００８６】
用紙検知手段１１０は、用紙搬送装置２６から排紙トレイ６８に向けて搬送される印刷用紙Ｐを検知するものであり、印刷用紙Ｐを検知した旨の信号を制御手段２４に送る。用紙搬送装置２６に備えられた駆動手段の駆動は、制御手段２４によって制御される、図７に示す排紙部駆動回路１１２によって制御される。
【００８７】
排版装置５は、印刷部２の左方に配設されている。排版装置５は、マスタ剥がし機構２１と、排版収納部２２と、図７のみに示す排版検知手段１１３とを有している。
排版検知手段１１３は、マスタ剥がし機構２１と排版収納部２２との間に配設され、マスタ剥がし機構２１から排版収納部２２に向けて搬送される使用済みのマスタ３４を検知するものであり、マスタ３４を検知した旨の信号を制御手段２４に送る。
【００８８】
マスタ剥がし機構２１は、版胴７の外周面に巻き付けられているマスタ３４を剥がすための機構であり、上部排版部材５３と、下部排版部材５４と、マスタ剥がし機構２１の全体を移動させる図示しない移動手段と、上部排版部材５３と下部排版部材５４とを駆動する図示しない駆動手段とを有している。
【００８９】
上部排版部材５３は、駆動ローラ５７と、従動ローラ５８と、駆動ローラ５７と従動ローラ５８との間に掛け渡された排版ベルトとしてのゴムベルト５９とを有している。下部排版部材５４は、駆動ローラ６０と、従動ローラ６１と、駆動ローラ６０と従動ローラ６１との間に掛け渡された排版ベルトとしてのゴムベルト６２とを有している。駆動ローラ５７は、駆動手段で回転駆動される。駆動ローラ６０は、図示しないギヤによって駆動ローラ５７と連結され、駆動手段によってギヤを介して回転駆動される。マスタ剥がし機構２１は、その全体が、移動手段により、版胴７に対して接離する方向に移動可能とされている。
【００９０】
版胴７からマスタ３４を剥がす場合には、移動手段は、ゴムベルト５９，６２が版胴７に巻き付けられているマスタ３４に接触する位置までマスタ剥がし機構２１を移動させ、その位置で、駆動手段が、駆動ローラ５７，６０を回転させることにより、ゴムベルト５９，６２を回転駆動させる。
【００９１】
これにより、版胴７の外周面に巻装されているマスタ３４が、上下において対をなしているゴムベルト５９，６２により挟持されて引っ張られる。この状態において版胴７が回転駆動されると、マスタ３４が版胴７の外周面から剥がされる。版胴７の外周面から剥がされた使用済みのマスタ３４は、ゴムベルト５９，６２の回転により、排版収納部２２に送り込まれる。
【００９２】
なお、このような排版動作を行ったにもかかわらず、その後の所定時間、排版検知手段１１３によって使用済みのマスタ３４が検知されない場合には、制御手段２４は、使用済みのマスタ３４のジャムが生じたと判断する。排版検知手段１１３は、排版装置５において使用済みのマスタ３４のジャムが生じたことを検知するジャム検知手段としての役割を担っているものである。
【００９３】
排版収納部２２は、マスタ剥がし機構２１により版胴７から剥がされた使用済みのマスタ３４を収納するものであり、使用済みのマスタ３４を貯容する使用済みマスタ貯容手段としての排版収納ボックスである排版ボックス５５と、排版ボックス５５内に収納された使用済みのマスタ３４を圧縮する圧縮板５６と、図２と図７とに示すマスタ量検知手段としての圧縮板位置検知手段８８と、図２に示す排版ボックス検知手段としての排版ボックス有無検知手段である装着検知手段８９と、図５に示すロック手段としてのロック機構９０と、圧縮板５６を駆動する図示しない駆動手段とを有している。排版収納部２２は、使用済みのマスタ３４を圧縮する圧縮手段を構成している。
【００９４】
排版ボックス５５は、ゴムベルト５９，６２により送られてきた使用済みのマスタ３４を収納する、上部が開口した箱状の本体２５と、本体２５に突設され孔版印刷装置1の本体外に一部が露出した取っ手２５ａとを有している。排版ボックス５５は、使用済みのマスタ３４が満杯になったとき等に、孔版印刷装置１の本体外に取り出せるように、孔版印刷装置１の本体に対して着脱可能となっている。取っ手２５ａは、排版ボックス５５を孔版印刷装置１本体に対して着脱するときに操作者が握る部分である。
【００９５】
圧縮板５６は、駆動手段により上下方向にスライドする態様で駆動され、孔版印刷装置１本体に装着された排版ボックス５５の本体２５の外部と内部との間で往復動されるようになっている。圧縮板５６は、通常、孔版印刷装置１本体に装着された排版ボックス５５の本体２５の上方に位置する、最上位置であるホームポジションとしての待機位置を占めるが、ゴムベルト５９，６２によって搬送されてきた使用済みのマスタ３４が本体２５内に収納された後に、その移動可能範囲の下限である下限位置に向け、下方へ移動し、本体２５内において使用済みのマスタ３４を圧縮する。圧縮板５６はその後、所定時間圧縮を行った後に上方へ移動し待機位置に戻る。
マスタ剥がし機構２１に備えられた移動手段の駆動と、マスタ剥がし機構２１に備えられた駆動手段の駆動と、排版収納部２２に備えられた圧縮板５６の駆動手段の駆動は、制御手段２４によって制御される、図７に示す排版駆動回路１１４によって制御される。
【００９６】
図２に示すように、圧縮板位置検知手段８８は、上下方向に配設された３つの検知手段としての透過型センサ８８ａ，８８ｂ，８８ｃを有している。透過型センサ８８ａ，８８ｂ，８８ｃはそれぞれ、発光素子８８ａ１，８８ｂ１，８８ｃ１と、発光素子８８ａ１，８８ｂ１，８８ｃ１からのそれぞれの光を受光する受光素子８８ａ２，８８ｂ２，８８ｃ２とを有している。受光素子８８ａ２，８８ｂ２，８８ｃ２による、発光素子８８ａ１，８８ｂ１，８８ｃ１からの光の検知信号は、制御手段２４に送られるようになっている。
【００９７】
透過型センサ８８ａ，８８ｂ，８８ｃはそれぞれ、圧縮板５６の待機位置、満杯位置、下限位置に対応して配設されている。圧縮板５６の待機位置とは、圧縮板５６の移動可能範囲の上限位置であり、圧縮板５６の下限位置とは、圧縮板５６の移動可能範囲の上限位置である。よって、透過型センサ８８ａ，８８ｃはそれぞれ、圧縮板５６の位置制御のために用いられる。
【００９８】
一方、圧縮板５６の満杯位置とは、上限位置と下限位置との間にあり、圧縮板５６のマスタ圧縮時にマスタ３４が排版ボックス５５の本体２５内に充満したために、マスタ３４の抵抗により圧縮板５６がそれ以上下降できなくなる位置である。すなわち、マスタ圧縮時にマスタ３４の抵抗により圧縮板５６が透過型センサ８８ｂの配設位置で停止するときを、排版ボックス５５内の使用済みのマスタ３４の量が満杯となった状態とし、透過型センサ８８ｂがこれを検知するようになっている。
【００９９】
そのため、図３にも示すように、透過型センサ８８ｂの配設位置は、排版ボックス５５の本体２５の上縁近傍とされている。図３において、符号５６ａは、圧縮板５６に突設されたフィラーを示している。なお、図３においては、透過型センサ８８ａ，８８ｃの図示を省略している。
フィラー５６ａは、圧縮板５６が上下動する際に透過型センサ８８ａ，８８ｂ，８８ｃに干渉し、発光素子８８ａ１と受光素子８８ａ２との間、発光素子８８ｂ１と受光素子８８ｂ２との間、発光素子８８ｃ１と受光素子８８ｃ２との間を通るようになっている。
【０１００】
圧縮板５６に突設されたフィラー５６ａが発光素子８８ａ１，８８ｂ１，８８ｃ１と受光素子８８ａ２，８８ｂ２，８８ｃ２との間に進入して発光素子８８ａ１，８８ｂ１，８８ｃ１からの光を遮断すると、受光素子８８ａ２，８８ｂ２，８８ｃ２の検知信号はオフとなり、制御手段２４はこれを検出し、これにより、圧縮板５６の位置が検知される。
【０１０１】
したがって、圧縮板５６が上限位置から下降した場合において、透過型センサ８８ａの受光素子８８ａ２の検知信号がオフからオンとなり、透過型センサ８８ｂの受光素子８８ｂ２の検知信号がオンからオフとなり、この後、透過型センサ８８ｃの受光素子８８ｃ２の検知信号がオンからオフとなることなく、受光素子８８ｂ２の検知信号のオフの状態が所定時間続くと、制御手段２４により、排版ボックス５５内の使用済みのマスタ３４の量が満杯となったと判断される。
【０１０２】
このように、圧縮板位置検知手段８８は、排版ボックス５５内の使用済みのマスタ３４の量を検知するマスタ量検知手段としての役割を担っているものである。なお、マスタ量検知手段は、透過型センサ８８ｂのみによっても構成可能である。また、圧縮板位置検知手段８８は上述のフィラー５６ａでなく、圧縮板５６自身を検知するようにしても良い。
【０１０３】
マスタ量検知手段の構成としては、圧縮板位置検知手段８８と異なり、フォトセンサを用いる等して、排版ボックス５５内の使用済みのマスタ３４の量が満杯になったことや満杯近くになったことを検知できるようにすることができる。
また、制御手段２４に備えられた後述するＲＡＭ８６により、排版ボックス５５を孔版印刷装置１本体から取り出して排版ボックス５５内の使用済みのマスタ３４を破棄した前回の時点を記録し、その時点からの排版回数をカウントして、このカウント回数により排版ボックス５５内の使用済みのマスタ３４の量を検知するようにしても良く、この場合には、制御手段２４がマスタ量検知手段を構成する。この場合においては、かかるカウント回数が予め設定されたカウント回数となったときをもって、排版ボックス５５内の使用済みのマスタ３４の量が満杯、あるいは満杯近くになったときとすることができる。
【０１０４】
図２に示すように、装着検知手段８９は、排版ボックス５５を孔版印刷装置１に装着した状態でのみ排版ボックス５５の本体２５に係合するよう、排版ボックス５５を孔版印刷装置１に装着する方向Ａにおいて、孔版印刷装置１に装着した状態の本体２５の奥側すなわち図２における右側に配設されている。
【０１０５】
装着検知手段８９はプッシュスイッチであるが、マイクロスイッチ等であっても良い。装着検知手段８９は、排版ボックス５５が図２に示す孔版印刷装置１の所定位置に装着されたときに本体２５に係合することで、排版ボックス５５が孔版印刷装置１の所定位置に装着されたことを検知し、検知信号を制御手段２４に送る。
【０１０６】
図５に示すように、ロック手段としてのロック機構９０は、排版ボックス５５の本体２５に突設されたロックピン９１と、排版装置５の図示しない筐体の側板に搖動自在に支持されているロック板９２と、ロック板９２の搖動中心をなす、排版装置５の図示しない筐体の側板に突設された軸９３と、ロック板９２の一端に形成されたガイド孔９２ａに摺動自在に係合しロック板９２の搖動範囲を一定範囲内に保つ、排版装置５の図示しない筐体の側板に突設されたガイドピン９４とを有している。
【０１０７】
ロック機構９０はまた、排版装置５の図示しない筐体の側板に搖動自在に固定され、ロック板９２の他端と一体化されロック板９２を搖動させる駆動源としてのキープソレノイド９５と、ロック板９２の、キープソレノイド９５と一体化された側の端部にその一端を固定され、その他端を排版装置５の筐体の側板９７に固定された付勢補助手段としての引張りばね９６と、ロック板９２の位置を検知する検知手段としてのマイクロスイッチ１２０とを有している。
【０１０８】
ロック板９２の、軸９３による支持位置と、ガイド穴９２ａとの間には、ロックピン９１を挿通可能な孔９２ｂが形成されている。ロックピン９１が、排版ボックス５５をＡ方向に移動させて孔版印刷装置１に装着した状態でのみ、孔９２ｂに挿通されるよう、ロック機構９０を構成する上述の部材のうち、ロックピン９１を除く部材は、孔版印刷装置１に対する排版ボックス５５の装着位置よりも、Ａ方向における奥側の、孔版印刷装置１本体内に配設されており、ロックピン９１は、図２に示すように、方向Ａにおける本体２５の奥側すなわち図２における右側に配設されている。
【０１０９】
ロックピン９１には、ロックピン９１が孔９２ｂに挿通された状態において、Ａ方向において孔９２ｂと同じ位置を占める溝９１ａが形成されている。キープソレノイド９５への通電に関する制御は、制御手段２４によって行われる。
キープソレノイド９５は、通電によりその本体に対して引き込まれまたは押し出されるように移動するプランジャー９５ａを有しており、プランジャー９５ａがロック板９２と一体化されている。
【０１１０】
そして、キープソレノイド９５に通電を行うと、図５の全体示部分に示すように、プランジャー９５ａが、引張りばね９６の付勢力に反してキープソレノイド９５の本体内に引き込まれるように移動することでロック板９２を搖動させ、ロックピン９１が孔９２ｂに挿脱可能な状態となり、排版ボックス５５を孔版印刷装置１の本体外に取り出すことを許容する解除状態となる。
【０１１１】
一方、ロックピン９１が孔９２ｂに挿通した状態でキープソレノイド９５へ再度通電を行うと、プランジャー９５ａがキープソレノイド９５の本体外に押し出されるように移動することでロック板９２を搖動させ、孔９２ｂが溝９１ａにオーバーラップして係合し、図５の吹き出し部分に示すように、排版ボックス５５を孔版印刷装置１の本体外に取り出すことを禁止する禁止状態としてのロック状態となる。
【０１１２】
マイクロスイッチ１２０は、ロック板９２に係合することで、ロック板９２が、ロック状態を与える禁止位置としてのロック位置を占めているか、解除状態を与える解除位置としてのアンロック位置を占めているかを検知し、これを制御手段２４に出力するようになっており、制御手段２４はマイクロスイッチ１２０からの信号に基づいて、ロック板９２が、ロック位置、アンロック位置の何れを占めているかを検出するとともに、キープソレノイド９５への通電を制御する。なお、マイクロスイッチ１２０には、プッシュスイッチを用いても良い。
【０１１３】
ロック機構９０に対しこのようなロック状態と解除状態とを選択的に与える制御は、制御手段２４がキープソレノイド９５に対する通電を制御することによって行われているため、制御手段２４はこのような制御を行うロック設定手段としての役割を担っている。キープソレノイド９５の駆動は、制御手段２４によって制御される、図７に示すロック手段駆動回路１１５によって制御される。
【０１１４】
ロック設定手段としての制御手段２４とロック機構９０とは、排版ボックス５５内の使用済みのマスタ３４の取り出しを禁止可能とし、かかるマスタ３４に記録されている情報を漏えいから保護する使用済みマスタ保護手段を構成している。
なお、ロック状態を、圧縮板５６を本体２５の内部に位置させることにより与えることができ、このような構成にした場合には、圧縮板５６がロック手段を構成する。
【０１１５】
図６に示す操作パネル６９は、孔版印刷装置１の上部前面に配設されている。操作パネル６９は、製版を開始させるための製版スタートキー７０と、印刷を開始させるための印刷スタートキー７１と、画像位置の確認等の仕上がり具合を確認する試しプリントキーとしての試し刷りキー７２と、種々の入力状態をクリアしたり印刷を中止させたりするためのクリア／ストップキー７３と、印刷枚数等を入力するためのテンキー群としてのテンキー７４と、種々の入力状態等を確定等するためのエンターキー７５と、各モードをクリア等するためのモードクリアキーとしてのクリアキー７６とを有している。
【０１１６】
操作パネル６９はまた、後述する表示装置８２による表示状態を移動させる等するためのカーソルキー群としてのカーソルキー７７と、各種状態を設定する等するためのファンクションキー群としてのファンクションキー７８と、液晶パネルによって構成され各種情報等の表示を行う表示手段としての表示部であるとともに、タッチパネルとなっており種々の入力を行うことが可能な入力手段としての機能を有する表示装置８２とを有している。
操作パネル６９からの動作指令等に関する種々の信号は制御手段２４に向けて出力される。
【０１１７】
制御手段２４は、印刷装置１の筐体の内部に配設されている。制御装置２４は、孔版印刷装置１に備えられている各種センサ、操作パネル６９等からの信号を受け、これに応じて操作パネル６９への表示等の各動作を行わせるなど、孔版印刷装置１の動作全般を制御するものである。
【０１１８】
図７に示す孔版印刷装置１の電気回路構成の概略である回路ブロック図に示されているように、制御手段２４は、演算を行うＣＰＵ８５と、各種データを記録する記憶手段としてのＲＡＭ８６と、制御プログラム等が格納された記憶手段としてのＲＯＭ８７とを有している。ＣＰＵ８５と、ＲＡＭ８６と、ＲＯＭ８７とは、図示しない信号バスによって接続され、これにより周知のコンピュータを備えた制御手段２４が構成されている。
【０１１９】
ＣＰＵ８５には、図示しないインターフェースを介して、各種センサ、各種駆動回路等と電気的に接続されている。
具体的には、原稿先端検知センサ４２と、用紙サイズ検知手段５２と、操作パネル６９と、圧縮板位置検知手段８８と、装着検知手段８９と、印刷部駆動回路１０１と、インキ検知手段１０２と、製版部駆動回路１０３と、カッタ駆動回路１０４と、マスタ搬送部駆動回路１０５と、読取り部駆動回路１０６と、給紙部駆動回路１０７と、マスタ有無検知手段１０８と、用紙検知手段１１０と、排紙検知手段１１１と、排紙部駆動回路１１２と、排版検知手段１１３と、排版駆動回路１１４と、ロック手段駆動回路１１５と、ロック表示出力手段１１９とが、ＣＰＵ８５に接続されている。
【０１２０】
ＣＰＵ８５には、原稿先端検知センサ４２からの出力信号と、用紙サイズ検知手段５２からの出力信号と、操作パネル６９からの出力信号と、圧縮板位置検知手段８８からの出力信号と、装着検知手段８９からの出力信号と、インキ検知手段１０２からの出力信号と、マスタ有無検知手段１０８からの出力信号と、用紙検知手段１１０からの出力信号と、排紙検知手段１１１からの出力信号と、排版検知手段１１３からの出力信号とが入力される。
【０１２１】
入力された各信号は、ＲＯＭ８７に記憶された動作プログラムに基づいて演算処理され、操作パネル６９と、印刷部駆動回路１０１と、製版部駆動回路１０３と、カッタ駆動回路１０４と、マスタ搬送部駆動回路１０５と、読取り部駆動回路１０６と、給紙部駆動回路１０７と、排紙部駆動回路１１２と、排版駆動回路１１４と、ロック手段駆動回路１１５と、ロック表示出力手段１１９とにそれぞれ動作信号として出力される。
【０１２２】
ＲＡＭ８６には、ＣＰＵ８５によってＲＯＭ８７より呼び出された動作プログラムが一時的に書き込まれる。書き込まれた動作プログラムは、操作パネル６９からの入力によって書き換えられる。
なお、制御手段２４にはカウンタが備えられており、孔版印刷装置１が所定時間不使用の状態にあると、本体電力の消費を抑えるため、電力低減待機モードに移行するようになっている。カウンタは、上述したジャム検知、満杯検知等において所定時間を計測することにも用いられる。
【０１２３】
操作パネル６９に備えられた表示装置８２からは、種々の入力がなされる。
具体的には、例えば、表示装置８２により、ロック機構９０を、ロック状態とし得る機密保持モードと、解除状態とする非機密保持モードとの何れかに設定するかの、モード選択に関する入力を行うことができる。機密保持モードと非機密保持モードとに設定可能としたのは、孔版印刷装置１の使用状況が多岐にわたるためである。この入力を行う表示装置８２は、制御手段２４に対し、かかる機密保持モードと非機密保持モードとの何れかを与えることを可能とするモード入力手段としての役割を有している。モード入力手段は、後述するロック表示出力手段１１９のように、ＬＥＤによって構成してもよい。
【０１２４】
何れのモードを選択するかは、通常、孔版印刷装置１の設置者等、孔版印刷装置１の管理者の権限によって行われる。したがって、機密保持モードと非機密保持モードとの間の切り替えは、かかる管理者によって行われるものであり、他者による切り替えを防止すべく、モード設定時には、例えば図９に示すように、表示装置８２やテンキー７４等を用いた暗証番号の入力が要求される。
【０１２５】
暗証番号の入力を要求するプログラムはＲＯＭ８７に格納されており、モード切替、設定用の暗証番号はＲＡＭ８６に格納されている。モード切替、設定用の暗証番号はかかる管理者によって書き換え可能である。なお、出荷時において、例えば機密保持モードに設定しておくこともでき、またこのときの暗証番号は付属のマニュアル等に記載された所定の番号とすることができる。またかかるモードの選択は、孔版印刷装置１にパソコン等の外部入力装置を接続することができる場合には、かかる外部入力装置によって行うことができるようにすることも可能である。
【０１２６】
ＲＡＭ８６には、表示装置８２により機密保持モードが選択されたときにのみ、機密保持モードプログラムが書き込まれる。ＲＡＭ８６には図示しないバックアップメモリーが設けられており、書き込まれた機密保持モードプログラムは、孔版印刷装置１のメイン電源が切られても消去されないように構成されている。
【０１２７】
制御手段２４は、機密保持モード、非機密保持モードの選択に応じて、表示装置８２に、機密保持モードとなっているか、非機密保持モードとなっているかの表示を行わせることが可能となっている。例えば、図６と図９とにおいては、表示装置８２に、機密保持モードとなっていることが表示されている。
【０１２８】
機密保持モードとなっているか、非機密保持モードとなっているかの表示は、操作者が操作パネル６９においてその旨の表示を行わせる操作をしたときにのみ表示するようにしても良いし、常に表示するようにしても良いし、機密保持モードであるにもかかわらず非機密保持モードのときにのみ許される操作をしようとしたり、非機密保持モードであるにもかかわらず機密保持モードのときにのみ許される操作をしようとしたりしたときにのみ表示するようにしても良い。
【０１２９】
この表示を行う表示装置８２は、機密保持モードであるか、非機密保持モードであるかを表示可能なモード表示出力手段としての役割を有している。機密保持モードとなっているか、非機密保持モードとなっているかについて、その旨の出力は、後述する警告出力手段と同様にして行わせることができる。モード表示出力手段としての表示装置８２は、後述の警告出力手段のうち、警告表示出力手段に対応するものである。機密保持モードとなっているか、非機密保持モードとなっているかについて、その旨の出力は、かかるモード表示出力手段に限らず、後述の警告出力手段に対応するモード出力手段、後述の警告音出力手段に対応するモード音出力手段によって行うことができる。
【０１３０】
制御手段２４は、機密保持モード時であっても、装着検知手段８９により、排版ボックス５５が孔版印刷装置１の所定位置に装着されていることを検知しなければ、ロック機構９０をロック状態とすることはない。排版ボックス５５が孔版印刷装置１の所定位置に装着されていない状態でロック機構９０をロック状態とすると、排版ボックス５５を孔版印刷装置１の所定位置に装着することができなくなるためである。
【０１３１】
制御手段２４は、ロック機構９０をロック状態とすると、ロック表示出力手段１１９により、ロック機構９０がロック状態であることを表示する。図８に示すように、ロック表示出力手段１１９は、孔版印刷装置１の、筐体の外部に配設されている。ロック表示出力手段１１９は、ＬＥＤによって構成されており、ロック状態においてのみ、制御手段２４によって点灯されるようになっている。
【０１３２】
よって、ロック表示出力手段１１９は、ロック機構９０がロック状態であるか、解除状態であるか、すなわち、排版ボックス５５を孔版印刷装置１の本体に対して着脱不可であるか、着脱可能であるかを表示するものとなっている。なお、図８において、符号１１６は、孔版印刷装置１の電源スイッチを示している。
【０１３３】
ロック機構９０がロック状態であるか、解除状態であるかについて、その旨の出力は、後述する警告出力手段と同様にして行わせることができる。ロック表示出力手段１１９は、後述の警告出力手段のうち、警告表示出力手段に対応するものである。ロック機構９０がロック状態であるか、解除状態であるかについて、その旨の出力は、かかるロック表示出力手段１１９に限らず、後述の警告出力手段に対応するロック状態出力手段、後述の警告音出力手段に対応するロック音出力手段によって行うことができる。
【０１３４】
ロック表示出力手段１１９は、本形態においてはＬＥＤによって構成されているが、他の部材によって構成しても良く、表示装置８２をロック表示手段としても良い。表示装置８２をロック表示手段とした場合、かかる表示は、操作者が操作パネル６９においてその旨の表示を行わせる操作をしたときにのみ表示するようにしても良いし、常に表示するようにしても良いし、ロック状態であるにもかかわらず排版ボックス５５を孔版印刷装置１の本体から離脱させようとしたときにのみ表示するようにしても良い。
【０１３５】
装着検知手段８９が排版ボックス５５が孔版印刷装置１の所定位置に装着されたか否かを検知することはすでに述べたが、装着検知手段８９は、排版ボックス５５が孔版印刷装置１から取り出されたことを検知する取り出し検知手段としての役割も有している。すなわち、制御手段２４は、ロック機構９０をロック状態としているにもかかわらず、装着検知手段８９によって、排版ボックス５５が孔版印刷装置１の所定位置から離脱したことを検知すると、排版ボックス５５が孔版印刷装置１から取り出されたことを検知する。
【０１３６】
かかる取り出しは不正に行われたものである。したがってこのとき、制御手段２４は、排版ボックス５５が孔版印刷装置１から不正に取り出されたことを周囲に知らせるべく、その旨の警告を、表示手段８２に出力させる。この出力を行う表示装置８２は、排版ボックス５５の孔版印刷装置１からの取り出しを警告する警告出力手段としての役割を有しており、特に、かかる出力方法が、かかる旨の表示であることから、警告出力手段の中でも警告表示出力手段としての役割を有している。
【０１３７】
警告出力手段は、表示装置８２のように、排版ボックス５５が孔版印刷装置１から不正に取り出された旨を表示する警告表示出力手段のみならず、かかる旨の音を発する、スピーカ等の警告音出力手段であっても良い。警告音出力手段によって発せられるかかる旨の音は、その旨の言語を発する電子的な発声音であってもよいし、ブザー音のような電子的な音であっても良い。警告表示出力手段、警告音出力手段は同時に備えられていても良いし、何れか一方のみが備えられていても良い。
【０１３８】
さらに、警告出力手段は、孔版印刷装置１と別体で設けられていても良い。すなわち、パソコン等の外部入出力装置が孔版印刷装置１にネットワーク等によって接続されているときには、かかる外部入出力装置を警告表示出力手段や警告音出力手段として用いることができる。また孔版印刷装置１にスピーカ等を接続してこれを警告音出力手段として用いることができ、このように種々の外部入出力装置を警告出力手段として用いることができる。外部入出力装置と表示装置８２とを併用しても良い。これらの警告動作は制御手段２４によって制御させることができる。
【０１３９】
制御手段２４は、機密保持モード時には、排版ボックス５５が孔版印刷装置１に装着されている限り、ロック機構９０をロック状態に保持する。したがって、孔版印刷装置１においては、孔版印刷装置１本体の電源がオフであるときも、孔版印刷装置１本体が電力低減待機モード時であるときにも、ロック機構９０がロック状態に保持される。また、ＲＡＭ８６に書き込まれた機密保持モードプログラムは、孔版印刷装置１本体の電源を切ったり入れたりすることによって書き換えることはできないようになっている。
【０１４０】
機密保持モードと非機密保持モードとの間の切り替えは、上述のように、暗証番号等の入力を条件とするなどして、表示装置８２等からの入力によって行うことができるようになっているが、機密保持モード下における、ロック状態から解除状態への切り替えを行う条件として、孔版印刷装置１は、次の条件を有している。
【０１４１】
すなわち、
１．表示装置８２によってロック状態から解除状態への切り替えを行うべき旨の入力が行われたとき、
２．排版ボックス５５内の使用済みのマスタ３４が満杯になったとき、
３．使用済みのマスタ３４のジャムが検知されたとき、
である。
かかる３つの条件のうち、１．表示装置８２によってロック状態から解除状態への切り替えを行うべき旨の入力が行われたとき、の条件は、適宜、他の条件と組み合わせて用いられる場合がある。
【０１４２】
なお、ロック状態から解除状態への切り替えは、通常、孔版印刷装置１を使用して実際に印刷を行う者等、孔版印刷装置１の使用者によって行われる。そのため、上記の各条件は、使用者にとってかかる切り替えを行うこと、および使用者にとってかかる切り替えを行う必要が生じる場合を想定して設けられている。
以下それぞれの条件について説明する。
【０１４３】
１．表示装置８２によってロック状態から解除状態への切り替えを行うべき旨の入力が行われたとき、について
孔版印刷装置１においては、制御手段２４がロック機構９０にロック状態を与えているとき、制御手段２４に対し、表示装置８２により、ロック機構９０を解除状態とすべき入力を行うことができるようになっている。よって表示装置８２は、ロック機構９０を解除状態とすべき入力を行う解除入力手段としての役割も有している。
【０１４４】
具体的には、まず、表示装置８２上において、所定の操作を行う。この所定の操作とは、表示装置８２によってロック状態から解除状態への切り替えを行うための画面を、表示装置８２に表示させるものである。次に、表示装置８２に表示されたかかる画面上において、ロック状態から解除状態への切り替えを行うべき切り替え操作を行う。すると、図９に示すように表示装置８２やテンキー７４等を用いて所定のデータとしての暗証番号を入力すべき旨が表示される。
【０１４５】
暗証番号の入力を要求するプログラムはＲＯＭ８７に格納されており、ロック状態から解除状態への切り替え用の暗証番号はＲＡＭ８６に格納されている。
ＲＡＭ８６に記録されている暗証番号と、表示装置８２によって入力された番号とを照合し、これらが一致すると、制御手段２４は、キープソレノイド９５に通電を行い、ロック機構９０に対し、排版ボックス５５を孔版印刷装置１の本体外に取り出すことを許容する解除状態を与えるとともに、ロック表示出力手段１１９を消灯してロック解除状態であることを表示する。
【０１４６】
ＲＯＭ８７に記録されている暗証番号と、表示装置８２によって入力された番号とが一致しないときは、制御手段２４は、再度の入力を促す。所定回連続して誤った入力がなされたときは、制御手段２４によって、孔版印刷装置１の動作を停止したり、その旨の警告を上述の警告出力手段と同様にして行わせたりすることができる。
【０１４７】
なお、上述のように、機密保持モードから非機密保持モードへの切り替えが暗証番号等の入力を条件とするなどして、表示装置８２等からの入力によって行われた場合には、ロック状態から解除状態への切り替えが、他の操作を行うことなく自動的に行われるようにすることができるし、暗証番号の入力を条件とすることなく上述の切り替え操作のみを行えば行われるようにしても良い。
【０１４８】
ロック状態から解除状態への切り替え用の暗証番号は表示装置８２によって書き換え可能となっている。よって表示装置８２は、所定のデータとしての暗証番号を書き換えることを可能とする解除データ入力手段としての役割も有している。書き換えが可能であることにより、定期的に書き換えることができ、より完全な機密保持が可能となっている。ロック状態から解除状態への切り替え用の暗証番号の書き換えは管理者によって行われるようにすることが好ましい。なお、出荷時において、ロック状態から解除状態への切り替え用の暗証番号は付属のマニュアル等に記載された所定の番号とすることができる。
【０１４９】
暗証番号はＲＡＭ８６のバックアップメモリーに格納され、孔版印刷装置１のメイン電源が切られても消去されないように構成されている。
解除入力手段や解除データ入力手段は、孔版印刷装置１と別体で設けられていても良い。すなわち、パソコン等の外部入出力装置が孔版印刷装置１にネットワーク等によって接続されているときには、かかる外部入出力装置を解除入力手段や解除データ入力手段として用いることができる。外部入出力装置と表示装置８２とを併用しても良い。
【０１５０】
解除入力手段や解除データ入力手段は、所定のデータが本形態のように電子データである場合にあっては、ＩＣカード等のカード、磁気データであっても良いし、そのほか、指紋／声紋を電子化して用いるもの等であっても良い。たとえば、カードを使用する場合には、一般的な既知のカードレコーダ等を孔版印刷装置１に備え付けて用いることができる。所定のデータが電子データであることは、その利便性、書き換え性、汎用性等から好ましいが、解除入力手段や解除データ入力手段は、キーシリンダーのような機構的なものであっても良い。
これら解除入力手段や解除データ入力手段として用いることができる手段は、以下述べる各入力手段や各出力手段についても同様に用いることができる。
【０１５１】
２．排版ボックス５５内の使用済みのマスタ３４が満杯になったとき、について
排版ボックス５５内の使用済みのマスタ３４が満杯になったことは、すでに述べたように、マスタ量検知手段としての圧縮板位置検知手段８８によって検知される。圧縮板位置検知手段８８が排版ボックス５５内の使用済みのマスタ３４が満杯になったことを検知したとき、制御手段２４は、その旨の出力を上述の警告出力手段と同様にして行わせる。上述の警告出力手段に対応するものは満杯出力手段、警告表示出力手段に対応するものは満杯表示出力手段、警告音出力手段に対応するものは満杯音出力手段ということができる。本形態においては表示装置８２を満杯表示出力手段として用いている。
【０１５２】
また、制御手段２４は、表示装置８２に、上述したような暗証番号の入力を要求する表示を行わせ、表示装置８２によって入力が行われたときに、ＲＡＭ８６に記録されている暗証番号と、表示装置８２によって入力された番号とを照合し、これらが一致すると、制御手段２４は、キープソレノイド９５に通電を行い、ロック機構９０に対し、排版ボックス５５を孔版印刷装置１の本体外に取り出すことを許容する解除状態を与えるとともに、ロック表示出力手段１１９を消灯して解除状態であることを表示する。
【０１５３】
ロック機構９０に対し解除状態を与えると、制御手段２４は、排版ボックス５５内の使用済みのマスタ３４の廃棄を行うべき旨の出力を上述の警告出力手段と同様にして行わせる。上述の警告出力手段に対応するものは廃棄出力手段、警告表示出力手段に対応するものは廃棄表示出力手段、警告音出力手段に対応するものは廃棄音出力手段ということができる。本形態においては表示装置８２を廃棄表示出力手段として用いている。
【０１５４】
ＲＡＭ８６に記録されている暗証番号と、表示装置８２によって入力された番号とが一致しないときは、制御手段２４は、再度の入力を促す。所定回連続して誤った入力がなされたときは、制御手段２４によって、孔版印刷装置１の動作を停止したり、その旨の警告を上述の警告出力手段と同様にして行わせたりすることができる。
【０１５５】
なお、排版ボックス５５内の使用済みのマスタ３４が満杯になったことが検知されたとき、制御手段２４は、暗証番号の入力を要求することなく、ロック機構９０に対し解除状態を与えるようにすることができる。このときは、ロック表示出力手段１１９を消灯するなどしてロック解除状態であることを表示してロック解除状態であることを出力したり、上述した廃棄出力手段を用いてマスタ３４の廃棄を行うべき旨の出力をすることが好ましい。
【０１５６】
また、マスタ量検知手段の構成が圧縮板位置検知手段８８と異なり、排版ボックス５５内の使用済みのマスタ３４の量が満杯近くになったことを検知できる場合には、これをもって制御手段２４が上述のように暗証番号の入力を求めたり、その旨の出力を行わせたり、所定回連続して誤った入力がなされたときにその旨の警告を上述の警告出力手段と同様にして行わせたりすることができる。
【０１５７】
３．使用済みのマスタ３４のジャムが検知されたとき、について
使用済みのマスタ３４のジャムが発生したことは、すでに述べたように、ジャム検知手段としての排版検知手段１１３によって検知される。排版検知手段１１３が使用済みのマスタ３４のジャムの発生を検知したとき、制御手段２４は、暗証番号の入力を要求することなく、ロック機構９０に対し解除状態を与えるとともに、ロック表示手段１１９を消灯してロック解除状態であることを表示する。
【０１５８】
すなわち、使用済みのマスタ３４のジャムが検知されたとき、制御手段２４は必ずロック機構９０に解除状態を与える。これは、ジャム発生時は、排版ボックス５５を孔版印刷装置１から取り出し、ジャム処理を行う必要があるため、満杯検知時よりも緊急性が高いからである。
【０１５９】
なお、使用済みのマスタ３４のジャムが検知されたとき、制御手段２４が、表示装置８２に、上述したような暗証番号の入力を要求する表示を行わせるようにしても良い。このときは、表示装置８２によって入力が行われたときに、ＲＡＭ８６に記録されている暗証番号と、表示装置８２によって入力された番号とを照合し、これらが一致すると、制御手段２４が、ロック機構９０に対し解除状態を与えるとともに、ロック表示出力手段１１９を消灯して解除状態であることを表示する。
【０１６０】
ＲＡＭ８６に記録されている暗証番号と、表示装置８２によって入力された番号とが一致しないときは、制御手段２４は、再度の入力を促す。所定回連続して誤った入力がなされたときは、制御手段２４によって、孔版印刷装置１の動作を停止したり、その旨の警告を上述の警告出力手段と同様にして行わせたりすることができる。
【０１６１】
使用済みのマスタ３４のジャムが検知されたとき、制御手段２４が必ずロック機構９０に解除状態を与えるか否かは、表示装置８２において設定することができる。よって表示装置８２は、排版検知手段１１３により使用済みのマスタ３４のジャムが検知されたとき制御手段２４により必ずロック機構９０を解除状態とさせるか否かを設定するジャム時解除設定入力手段としての役割も有している。
【０１６２】
このような設定を可能としたのは、孔版印刷装置１の使用状況、使用環境が多岐にわたり、例えば、機密性を最重要視し、たとえジャム時でも機密保持を行いたい場合もあれば、決まった部署専用で使用しており、使用者が特定される場合など、機密保持よりも孔版印刷装置１の稼動を優先させたい場合もあるからである。
この設定においては、上述と同様にして暗証番号の入力を要求することができる。この暗証番号は、上述した管理者によって設定される暗証番号と同様と取り扱いとすることができるためここでの説明を省略する。
【０１６３】
使用済みのマスタ３４のジャムが検知されたときには、制御手段２４によって、その旨の出力を上述の警告出力手段と同様にして行わせることができる。このとき、上述の警告出力手段に対応するものはジャム出力手段、警告表示出力手段に対応するものはジャム表示出力手段、警告音出力手段に対応するものはジャム音出力手段ということができる。
【０１６４】
以上述べた、解除状態とするための各条件において、暗証番号の入力が要求されている状態において、排版ボックス５５を孔版印刷装置１から取り出そうとした場合には、上述したように、排版ボックス５５を不正に取り出そうとした旨の警告の出力がなされる。しかし、暗証番号を入力する操作と、排版ボックス５５を取り出す操作とを単に間違えた場合に、不正操作である旨の警告を行うことは、操作者にとって酷である。したがって、暗証番号の入力が要求されている状態において排版ボックス５５を孔版印刷装置１から取り出そうとした場合には、単に、暗証番号の入力を促す旨の出力を、上述したと出力手段と同様の出力手段を用いて行うようにすることができる。
【０１６５】
上記構成に基づき、孔版印刷装置１の動作を、適宜図１０、図１１に沿って、以下に説明する。
操作者により、サイドフェンスで位置を合わせながら、原稿の先端を原稿搬送ローラ対４１のニップに突き当てることによって原稿セット部４０に原稿がセットされ、操作パネル６９上の各種キーによって製版条件が設定された後に製版スタートキー７０が押されると（図１０（Ｓ１））、原稿搬送ローラ対４１と原稿搬送コロ対４５とがステッピングモータにより駆動され、原稿が搬送される。
【０１６６】
原稿の先端が原稿先端検知センサ４２で検知されると、ＲＯＭ８７に記録されたデータに基づいた制御手段２４による制御により、原稿は、所定距離搬送される。原稿は搬送の過程でＣＩＳ４３によって読み取られ、読み取られた原稿画像は画像データ信号としてＣＰＵ８５に送られる。ステッピングモータを所定量駆動して原稿の先端が原稿排紙台３３上の所定位置まで搬送されると、ステッピングモータの駆動が停止され、原稿の搬送が停止される。
【０１６７】
原稿読取装置３２での画像読取動作と並行して、排版装置５では、版胴７の外周面上から使用済みのマスタ３４を剥離する排版動作が行われる（図１０（Ｓ２））。外周面上に使用済みのマスタ３４を巻装している版胴７は、ＣＰＵ８５からの動作信号によってメインモータによって回転駆動され、図１において反時計回り方向に回転を開始する（図１０（Ｓ３））。
【０１６８】
版胴７が、その外周面上に巻装した使用済みのマスタ３４の後端がマスタ剥がし機構２１と対応する所定の排版位置に到達したとき、マスタ剥がし機構２１が版胴７側に移動し、版胴７の外周面上の使用済みのマスタ３４と当接し使用済みのマスタ３４をすくい上げる。使用済みのマスタ３４は、下部排版部材５４と上部排版部材５３とで挟持され、版胴７の外周面より剥離され、ゴムベルト５９，６２で搬送されて排版ボックス５５内に廃棄される。
【０１６９】
版胴７の外周面より使用済みのマスタ３４が全て剥離されて排版動作が完了する（図１０（Ｓ４））と、版胴７はさらに回転され、版胴７が図１に示す所定の給版位置であるホームポジションに到達すると、メインモータが停止されて版胴７の回転は停止され（図１０（Ｓ５））、クランパ１１が時計回り方向に回動し、版胴７が給版待機状態となる。
【０１７０】
排版動作が完了すると、これに続いて原稿読取装置３２での画像読取動作と並行して、製版動作が行われる。版胴７が給版待機状態となると、ＣＰＵ８５からの動作信号によってステッピングモータが作動してプラテンローラ３６と各駆動ローラ３１ａ，３１ｃが回転駆動され、マスタロール３５からマスタ３４が引き出される。
【０１７１】
ステッピングモータのステップ数より、マスタ３４の画像形成領域がサーマルヘッド３７の発熱素子と対応する位置すなわち製版位置に達したことをＣＰＵ８５が判断すると、ＣＰＵ８５より動作信号が送られ、原稿読取装置３２より送られた画像データ信号に基づいてサーマルヘッド３７の発熱素子が選択的に発熱し、マスタ３４上に穿孔製版画像が形成される。なお、マスタ３４が製版位置に達したときに、ＣＰＵ８５が原稿読取装置３２のステッピングモータを駆動するようになっている。
【０１７２】
穿孔製版画像を形成されたマスタ３４は、各ガイド板３８，３９にガイドされつつ搬送手段３１によってクランパ１１へと搬送される。ステッピングモータのステップ数より、マスタ３４の先端がクランパ１１まで到達し給版が開始された（図１０（Ｓ６））とＣＰＵ８５が判断すると、クランパ１１が閉じられマスタ３４の先端が挟持される。版胴７がメインモータによりマスタ３４の搬送速度と同じ周速度で時計回り方向に回転駆動され（図１０（Ｓ７））、マスタ３４の版胴７への巻装動作が行われ給版動作が継続される。
【０１７３】
巻装動作の途中で、ステッピングモータのステップ数より、１版分の製版が完了したことをＣＰＵ８５が判断する。ＣＰＵ８５は、プラテンローラ２４と各駆動ローラ３１ａ，３１ｃの回転を停止させると共に、可動刃３０ｂを回転移動させてマスタ３４を切断させる。マスタ３４は切断後も版胴７の回転動作によって引き出され、版胴７が再びホームポジションに到達すると１版分のマスタ３４が巻着され給版が完了する（図１０（Ｓ８））とともにメインモータの駆動が停止され（図１０（Ｓ９））、巻装動作が完了する。
【０１７４】
このとき、排版ボックス５５内に廃棄された使用済みのマスタ３４は、圧縮板５６によって圧縮される（図１０（Ｓ１０））。圧縮時における圧縮板５６の動きに基づいて、圧縮板位置検知手段８８により、排版ボックス５５が使用済みのマスタ３４によって満杯になっているか否かが検知される（図１０（Ｓ１１））。
【０１７５】
巻装動作に引き続き、版付動作が行われる。版胴７がホームポジションで停止すると、版胴７が低速で回転駆動されると共に給紙ローラ４７、分離ローラ４８、駆動ローラ６５、吸引ファン６７がそれぞれ回転駆動される。給紙ローラ４７と分離ローラ４８との回転により、給紙トレイ４６上に積載された複数枚の印刷用紙Ｐのうち、最上位の１枚の印刷用紙Ｐのみが引き出され、レジストローラ対４９に咥え込まれる。
【０１７６】
版胴７に巻装されたマスタ３４の画像領域の、版胴７の回転方向における先端部が、プレスローラ９と対応する位置に到達したとき、ＣＰＵ８５より動作信号が送られてレジストローラ対４９が回転し、印刷用紙Ｐをニップ部Ｎに給送する。ＣＰＵ８５は、レジストローラ対４９への動作信号に続いてプレスローラ９を揺動させる。レジストローラ対４９より給送された印刷用紙Ｐは、プレスローラ９によって版胴７に巻装されたマスタ３４に押圧される。
【０１７７】
この押圧動作により、プレスローラ９と印刷用紙Ｐとマスタ３４と版胴７の外周面とが圧接され、インキローラ１４によって版胴７の内周面に供給されたインキが、版胴７の外周面の開孔部とメッシュスクリーンより滲出した後、版胴７の外周面とマスタ３４との空隙部に充填され、マスタ３４の穿孔部を介して印刷用紙Ｐに転移される。
【０１７８】
インキを転移された印刷用紙Ｐは、剥離爪６３の先端で版胴７の外周面より剥離されて下方へと落下し、吸引ファン６７の吸引力によってゴムベルト６６の上面に引き付けられつつ左方へと搬送され、排紙トレイ６８上に排出される。この一連の行程によって版付動作が完了し、孔版印刷装置１は印刷待機状態となる。
【０１７９】
原稿読取、排版、製版、版付の各動作が完了して、印刷待機状態となった孔版印刷装置１において、操作者によって試し刷りキー７２が押されると、版付動作と同様に、給紙トレイ４６上の最上位の１枚の印刷用紙が給紙ローラ４７と分離ローラ４８とによって引き出され、レジストローラ対４９に咥え込まれると共に、メインモータにより版胴７が高速で回転駆動される。
【０１８０】
レジストローラ対４９は、版付動作と同じタイミングで、高速回転している版胴７とプレスローラ９との間に印刷用紙Ｐを給送する。給送された印刷用紙Ｐは、プレスローラ９によって版胴７に巻装されたマスタ３４に押圧されてインキを転移され、その上面に印刷画像を形成された後、剥離爪６３によって版胴７の外周面より剥離され、ゴムベルト６６によって左方へと搬送されて、排紙トレイ６８上に排出される。版胴７は再びホームポジションに戻り、試し刷り動作が完了する。
【０１８１】
この試し刷りによって印刷画像の濃度や位置を確認し、これらを操作パネル６９上の各種キーで調整して再度試し刷りを行った後、テンキー７４で印刷枚数を指定し、各種設定を行った後に印刷スタートキー７１を押すことにより、給紙装置４より印刷用紙Ｐが連続的に送られて印刷動作が行われる。印刷動作完了後にも、版胴７は再びホームポジションに戻る。
【０１８２】
一方、圧縮板位置検知手段８８により、排版ボックス５５が使用済みのマスタ３４によって満杯になっている場合には、制御手段２４が、表示装置８２により、排版ボックス５５が使用済みのマスタ３４によって満杯になっている旨を出力させる（図１１（Ｓ１２））。排版ボックス５５が使用済みのマスタ３４によって満杯になっている場合には製版スタートキー７０の再度の押下（図１０（Ｓ１））に備える。
【０１８３】
排版ボックス５５が使用済みのマスタ３４によって満杯になっている旨を表示装置８２に表示させた後、制御手段２４は、表示装置８２に、暗証番号の入力を要求する表示を行わせ（図１１（Ｓ１３））、表示装置８２によって入力が行われたとき（図１１（Ｓ１４））に、ＲＡＭ８６に記録されている暗証番号と、表示装置８２によって入力された番号とを照合し、これらが一致するか否かを判断する（図１１（Ｓ１５））。
【０１８４】
ＲＡＭ８６に記録されている暗証番号と、表示装置８２によって入力された番号とが一致しているとき、制御手段２４は、キープソレノイド９５に通電を行い（図１１（Ｓ１６））、ロック機構９０に対し、排版ボックス５５を孔版印刷装置１の本体外に取り出すことを許容する解除状態を与える（図１１（Ｓ１７））とともに、ロック表示出力手段１１９を消灯して解除状態であることを表示する。
【０１８５】
制御手段２４は、排版ボックス５５内の使用済みのマスタ３４を破棄すべき旨を表示装置８２により出力させる（図１１（Ｓ１８））。ＲＯＭ８７に記録されている暗証番号と、表示装置８２によって入力された番号とが一致しないときは、制御手段２４は、再度の入力を促す。
【０１８６】
制御手段２４は、装着検知手段８９により、排版ボックス５５が孔版印刷装置１から取り出され、その後装着されるまで、これを監視し（図１１（Ｓ１９））、装着検知手段８９により排版ボックス５５が孔版印刷装置１から取り出されその後装着されたことが検知されると、排版ボックス５５内に充満していた使用済みのマスタ３４が廃棄されたか否かを確認するため、圧縮板５６に、排版ボックス５５内に廃棄された使用済みのマスタ３４を圧縮するときと同じ動作を行わせる（図１１（Ｓ２０））。
【０１８７】
かかる圧縮板５６の動きに基づいて、圧縮板位置検知手段８８により、排版ボックス５５が使用済みのマスタ３４によって満杯になっているか否かが検知され（図１１（Ｓ２１））、圧縮板５６の動きが、排版ボックス５５が使用済みのマスタ３４によって満杯になっていない場合のものでないことを検知したときには、制御手段２４は再度、表示装置８２に、暗証番号の入力を要求する表示を行わせるステップに戻る（図１１（Ｓ１３））。
【０１８８】
圧縮板５６の動きが、排版ボックス５５が使用済みのマスタ３４によって満杯になっていない場合のものであることを検知したときには、制御手段２４は排版ボックス５５内に充満していた使用済みのマスタ３４が廃棄されたと判断して使用済みのマスタ３４が満杯になっているときの一連の処理を終了する。
【０１８９】
排版装置の形態は、圧縮板が、図１等に示したように、平行移動するものに限らず、図１２ないし図１４に示すように、回転移動するものであっても良い。また、排版装置の形態は、使用済みマスタ貯容手段の着脱方向が、用紙の搬送方向に対して、図１等に示したように、略平行方向であるものに限らず、図１２ないし図１４に示すように、略直角方向であってもよい。
【０１９０】
以下、図１２ないし図１４に示す排版装置２０６について、上述の排版装置５と異なる部分を主に説明する。
図１２に示すように、排版装置２０６は、上述と同様のマスタ剥がし機構２１と、排版収納部２２２と、上述と同様の図７に示す排版検知手段１１３とを有している。
【０１９１】
排版収納部２２２は、マスタ剥がし機構２１により版胴７から剥がされた使用済みのマスタ３４を収納するものであり、使用済みのマスタ３４を貯容する使用済みマスタ貯容手段としての排版収納ボックスである排版ボックス２０７と、排版ボックス２０７内に収納された使用済みのマスタ３４を圧縮する圧縮板２０８と、上述したものと配設位置のみが異なるマスタ量検知手段としての圧縮板位置検知手段８８と、図１３に示す排版ボックス検知手段としての排版ボックス有無検知手段である、上述したと同様の装着検知手段８９と、排版ボックス２０７と一体をなし排版ボックス２０７を覆い、保護する図１３と図１４に示す排版ボックスカバー２１２と、圧縮板２０８を駆動する図１３に示す駆動手段２０９とを有している。排版収納部２２２は、使用済みのマスタ３４を圧縮する圧縮手段を構成している。
【０１９２】
排版ボックス２０７は、図１２または図１３に示すように略円筒状の形状をしていて、上部にマスタ搬入口２０７ａが形成されており、内部が使用済みのマスタ３４を貯容するマスタ収容部２０７ｂとなっている。排版ボックス２０７の内周壁２０７ｆの一部は、圧縮板２０８の自由端部である先端側が２７０°回転する移動軌跡に沿った形状をしている。排版ボックス２０７は、内周壁７ｆにつながって、圧縮板２０８の自由端部の２７０°を超える部分からは、その内壁は箱状を呈する形状をしている。
【０１９３】
マスタ収容部２０７ｂの最奥部には、排版ボックス２０７内に収容された使用済みのマスタ３４がマスタ搬入口７ａ側へ溢れ出ることを防止し、また、圧縮板２０８が、図１２における時計回り方向に過剰に回転して、図１２に示す圧縮板２０８のホームポジション側に移動することを規制するための仕切板２１４が固定配置されている。
【０１９４】
圧縮板２０８は、排版ボックス２０７内に収容された使用済みマスタ３４を圧縮するための部材であり、排版ボックス２０７の内部に配設されている。圧縮板２０８は、その基端部に支軸２０８ａを有しており、図１２において手前側に配設された排版ボックス２０７の図示しない壁部の略中心部と、図１２において奥側に配設された排版ボックス２０７の壁部２０７ｃ近傍に固設されたブラケット部２０７ｄとで、図１２において紙面に垂直な方向と略平行となるように軸支されることによって、マスタ収容部２０７ｂの中心部位を回転中心として回転自在となっている。これにより、圧縮板２０８は、マスタ収容部２０７ｂの中心部位を回転中心として、排版ボックス２０７内で回転するように構成されている。圧縮板２０８は、圧縮板位置検知手段８８に検出される図示しないフィラーを有している。
【０１９５】
圧縮板２０８は、排版ボックス２０７の内部で、図１２に示した圧縮板２０８のホームポジションである待機位置から支軸２０８ａを中心に約２７０°回転されるようになっている。これにより、マスタ搬入口２０７ａを通して、使用済みのマスタ３４が排版ボックス２０７内の圧縮板２０８の上方に搬入されると、圧縮板２０８が、マスタ３４を載せたまま持ち上げるようにして回転し始め、約２７０°反時計回りに回転される。使用済みのマスタ３４は、圧縮板２０８の回転により、マスタ収容部２０７ｂの奥部に向けて圧縮収容されていく。圧縮板２０８は、約２７０°回転した後、待機位置まで戻る。このように、圧縮板２０８は、待機位置から約２７０°の回転位置までの間を往復回転される。
【０１９６】
圧縮板位置検知手段８８は、圧縮板２０８の回転方向に沿って配設された３つの検知手段としての透過型センサ８８ａ，８８ｂ，８８ｃを有している。透過型センサ８８ａ，８８ｂ，８８ｃはそれぞれ、圧縮板２０８の待機位置、満杯位置、移動可能範囲の最大位置に対応して配設されている。圧縮板２０８の移動可能範囲の最大位置とは、圧縮板２０８が待機位置から約２７０°回転した位置である。よって、透過型センサ８８ａ，８８ｃはそれぞれ、圧縮板５６の位置制御のために用いられる。
【０１９７】
一方、圧縮板２０８の満杯位置とは、待機位置と移動可能範囲の最大位置との間にあり、圧縮板２０８のマスタ圧縮時にマスタ３４がマスタ収容部２０７ｂ内に所定量収容されたために、マスタ３４の抵抗により圧縮板２０８がそれ以上回転できなくなる位置である。すなわち、マスタ圧縮時にマスタ３４の抵抗により圧縮板２０８が透過型センサ８８ｂの配設位置で停止するときを、排版ボックス５５内の使用済みのマスタ３４の量が満杯となった状態とし、透過型センサ８８ｂがこれを検知するようになっている。
【０１９８】
図１２に示すように、透過型センサ８８ｂの配設位置は、圧縮板２０８が１８０°回転した位置とされている。フィラーは、圧縮板２０８が回転移動する際に透過型センサ８８ａ，８８ｂ，８８ｃに干渉し、透過型センサ８８ａ，８８ｂ，８８ｃによって検出されるようになっている。
【０１９９】
図１２に示すように、駆動手段２０９は、駆動軸２０９ａを有している。駆動軸９ａの先端には、カップリングピン２１０ａが突設されている。圧縮板２０８の支軸２０８ａの先端には、円筒状のカップリング本体２１０ｂが固設されている。カップリング本体２１０ｂには、カップリングピン２１０ａが係合するカップリング溝２１０ｃと、駆動軸２０９ａの軸端部が嵌合するカップリング穴２１０ｄが形成されている。カップリングピン２１０ａと、カップリング本体２１０ｂとによりカップリング２１０が構成されている。駆動手段２０９は、制御手段２４によって制御される、図７に示す排版駆動回路１１４によって制御される。
【０２００】
このような構成により、駆動手段２０９の駆動力は、駆動軸２０９ａの回転がカップリング２１０を介して支軸２０８ａに伝達されることにより、圧縮板２０８を回転駆動する。
また、排版ボックス２０７は、圧縮板２０８とともに孔版印刷装置１の本体に対して着脱自在となっている。
【０２０１】
すなわち、図１３において排版ボックス２０７が右方に移動されると、カップリング穴２１０ｄが、駆動軸２０９ａの軸端部に嵌合され、カップリング溝２１０ｃが、カップリングピン２１０ａに係合して、排版ボックス２０７が排版装置２０６の本体、孔版印刷装置１の本体に装着されるとともに、駆動軸２０９ａの回転が支軸２０８ａに伝達可能となる。この状態で、排版ボックスカバー２１２が装着検知手段８９に係合し、装着検知手段８９により排版ボックス２０７が孔版印刷装置１の本体の所定位置に装着されたことが検知される。
【０２０２】
また、排版ボックス７が図１３における左方に移動されると、カップリングピン２１０ａとカップリング溝２１０ｃとの係合が外れ、カップリング穴２１０ｄが駆動軸２０９ａの軸端部から離脱して、支軸２０８ａが排版ボックス２０７とともに排版装置２０６の本体、孔版印刷装置１の本体から切り離され、排版ボックス２０７が孔版印刷装置１から取り出される。
【０２０３】
ところで、排版装置２０６では、駆動軸２０９ａの回転が、カップリング２１０を介して、支軸２０８ａに伝達されるように構成されているので、排版装置２０６の本体、孔版印刷装置１の本体への排版ボックス２０７の装着時に、カップリング溝２１０ｃとカップリングピン２１０ａとの相対回転位置が整合していないと、排版ボックス２０７の装着が不完全となったり、カップリング溝２１０ｃとカップリングピン２１０ａとの位相が１８０°ずれた状態でカップリングされたりする虞がある。
【０２０４】
また、排版装置５におけるロック機構９０と同様、排版ボックス２０７を孔版印刷装置１の本体外に取り出すことを禁止する禁止状態と排版ボックス２０７を孔版印刷装置１の本体外に取り出すことを許容する解除状態とのいずれかを、ロック設定手段としての制御手段２４によって与えられる、ロック手段を備えていることを要する。
【０２０５】
そこで排版装置２０６は、圧縮板２０８の支軸２０８ａがホームポジションに位置している状態であって、駆動軸２０９ａがそのホームポジションに位置している場合にのみ、カップリング溝２１０ｃとカップリングピン２１０ａとが係合可能となり、排版ボックス２０７を排版装置２０６の本体、孔版印刷装置１の本体に着脱可能となるように構成されている。
【０２０６】
すなわち、図１４に示すように、排版ボックスカバー２１２に、鍵穴状の係合穴２１２ａが設けられており、図１４（ａ）に示すように、係合穴２１２ａは、駆動軸２０９ａの回転位置がホームポジションに位置している状態でのみ、カップリングピン２１０ａが挿脱自在となり、排版ボックス２０７が孔版印刷装置１の本体に対して着脱自在となるため、排版ボックス２０７が孔版印刷装置１の本体外に取り出されることを許容する解除状態を与えるようになっている。
【０２０７】
また、図１４（ｂ）に示すように、排版ボックス２０７が孔版印刷装置１の本体に装着され、駆動軸２０９ａがホームポジション以外の回転位置に位置している状態では、排版ボックス２０７を孔版印刷装置１の本体外に取り出そうとすると、係合穴２１２ａとカップリングピン２１０ａとが係合して、排版ボックス２０７を孔版印刷装置１の本体外に取り出すことを禁止する禁止状態が与えられるようになっている。
【０２０８】
このように、排版ボックスカバー２１２とカップリングピン２１０ａとは、排版ボックス２０７を孔版印刷装置１の本体外に取り出すことを禁止するためのロック手段としてのロック機構２９０を構成している。
また、ロック設定手段としての制御手段２４とロック機構２９０とは、排版ボックス２０７内の使用済みのマスタ３４の取り出しを禁止可能とし、かかるマスタ３４に記録されている情報を漏えいから保護する使用済みマスタ保護手段を構成している。
【０２０９】
以上、本発明を実施するための形態として、図に沿って、本発明を適用した、印刷装置の使用済みマスタ保護システムをすべて備えた印刷装置としての孔版印刷装置１及びこれを用いた印刷装置の使用済みマスタ保護方法を説明したが、本発明を適用した印刷装置は、少なくとも、使用済みマスタ貯容手段と、使用済みマスタ保護手段の少なくとも一部、具体的にはたとえばロック手段とを有していれば良い。
【０２１０】
使用済みマスタ保護手段が制御手段を備えていないときには、ロック手段は、上述したキーシリンダー等のように機構的なものとすることができ、この場合、ロック設定手段は有体物である鍵等とすることができる。制御手段を備えるときは、印刷装置の使用済みマスタ保護システムがこれを備えていれば良く、印刷装置とは別に備えられていても良い。
【０２１１】
孔版印刷装置１に備えられた種々の入出力手段についての説明においては、主に、操作パネル６９に備えられた表示装置８２がかかる入出力手段を構成している場合を述べたが、表示装置８２と、これ以外の操作パネルに備えられた手段とによりかかる入出力手段を構成しても良いし、表示装置８２以外の操作パネル６９に備えられた手段によりかかる入出力手段を構成しても良い。
【０２１２】
本発明は、マスタを用いるどのようなタイプの印刷装置にも適用することができる。版胴が複数備えられているなど、一度の印刷に複数のマスタを用いる印刷装置に適用することもできる。本発明の適用は、上述の説明において特に限定を行っていない限り、上述の形態に限られるものではない。
【図面の簡単な説明】
【０２１３】
【図１】本発明を適用した印刷装置及び印刷装置の使用済みマスタ保護システムの概略を示す正面図である。
【図２】図１に示した印刷装置に搭載された排版装置の正面図である。
【図３】図２に示した排版装置の一部の拡大斜視図である。
【図４】図２に示した排版装置の動作を説明するための正面図正面図である。
【図５】図２に示した排版装置に備えられたロック手段を示す斜視図である。
【図６】図１に示した印刷装置に備えられた操作パネルを示す平面図である。
【図７】図１に示した印刷装置に備えられた制御手段を示すブロック図である。
【図８】図１に示した印刷装置の一部の拡大斜視図である。
【図９】図６に示した操作パネルの動作を説明するための平面図である。
【図１０】図１に示した印刷装置の動作の一部に関するフローチャートの前半を示す正面図である。
【図１１】図１に示した印刷装置の動作の一部に関するフローチャートの後半を示す正面図である。
【図１２】図１に示した印刷装置に搭載された排版装置の別の構成例を示す正断面図である。
【図１３】図１２に示した排版装置の側断面図である。
【図１４】図１２に示した排版装置の動作を説明するための正断面図である。
【符号の説明】
【０２１４】
１    印刷装置、印刷装置の使用済みマスタ保護システム
３４    マスタ、使用済みのマスタ
２２、２２２    圧縮手段
２４    ロック設定手段、制御手段
２４、９０    使用済みマスタ保護手段
２４、２９０    使用済みマスタ保護手段
５５    使用済みマスタ貯容手段
８２    モード入力手段、モード出力手段、警告出力手段、警告表示出力手段、満杯出力手段、廃棄出力手段、解除入力手段、解除データ入力手段、ジャム時解除設定入力手段、ジャム出力手段
８８    マスタ量検知手段
８９    装着検知手段、取り出し検知手段
９０，２９０    ロック手段
１１３    ジャム検知手段
１１９    ロック状態出力手段、ロック状態表示出力手段
【図１】
2005144957.tif 000003
【図２】
2005144957.tif 000004
【図３】
2005144957.tif 000005
【図４】
2005144957.tif 000006
【図５】
2005144957.tif 000007
【図６】
2005144957.tif 000008
【図７】
2005144957.tif 000009
【図８】
2005144957.tif 000010
【図９】
2005144957.tif 000011
【図１０】
2005144957.tif 000012
【図１１】
2005144957.tif 000013
【図１２】
2005144957.tif 000014
【図１３】
2005144957.tif 000015
【図１４】
2005144957.tif 000016